(57)【要約】【課題】  広角のＯＣＴデータを良好な信号強度にて取得できるＯＣＴ装置を提供する。【解決手段】  ＯＣＴ装置であって、ＯＣＴ光学系は、測定光が眼底上を横断する一つの横断方向に関して眼底中心部と眼底周辺部を含む広角領域に測定光を導くＯＣＴ光学系であって、眼底中心部を含むＯＣＴデータを得るために設定された光路長を有する第１の参照光路と、眼底周辺部を含むＯＣＴデータを得るために設定された光路長を有し第１の参照光路とは異なる第２の参照光路と、を備え、画像処理器は、眼底中心部に導かれた測定光と第１の参照光路からの参照光との干渉信号に基づいて眼底中心部を含むＯＣＴデータを得ると共に、眼底周辺部に導かれた測定光と第２の参照光路からの参照光との干渉信号に基づいて眼底周辺部を含むＯＣＴデータを得る。【選択図】      図１６
2018171168.tif 000002
【特許請求の範囲】
【請求項１】
ＯＣＴ光源からの光を測定光路と参照光路に分割し、測定光路を介して被検眼眼底に導かれた測定光と参照光路からの参照光との干渉信号を検出器によって検出するＯＣＴ光学系と、前記ＯＣＴ光学系から出力されるスペクトル干渉信号を処理してＯＣＴデータを取得可能な画像処理器と、を備えるＯＣＴ装置であって、
前記ＯＣＴ光学系は、
前記測定光が眼底上を横断する一つの横断方向に関して眼底中心部と眼底周辺部を含む広角領域に測定光を導くＯＣＴ光学系であって、
前記眼底中心部を含むＯＣＴデータを得るために設定された光路長を有する第１の参照光路と、前記眼底周辺部を含むＯＣＴデータを得るために設定された光路長を有し前記第１の参照光路とは異なる第２の参照光路と、を備え、
前記画像処理器は、
前記眼底中心部に導かれた前記測定光と前記第１の参照光路からの参照光との干渉信号に基づいて前記眼底中心部を含むＯＣＴデータを得ると共に、前記眼底周辺部に導かれた前記測定光と前記第２の参照光路からの参照光との干渉信号に基づいて前記眼底周辺部を含むＯＣＴデータを得ることを特徴とするＯＣＴ装置。
【請求項２】
前記眼底中心部は、少なくとも眼底の黄斑部及び乳頭部を含む領域であり、
前記眼底周辺部は、一つの横断方向に関して前記眼底中心部の両端部よりも外側の領域をそれぞれ含む領域であることを特徴とする請求項１のＯＣＴ装置。
【請求項３】
前記ＯＣＴ光学系は、
前記測定光を被検眼眼底上で走査するための光走査手段を備え、
前記光走査手段による１回のＢスキャンによって、眼底中心部と眼底周辺部が含まれる広角領域に測定光が走査され、前記眼底中心部を含むＯＣＴデータと前記眼底周辺部を含むＯＣＴデータが取得されることを特徴とする請求項２のＯＣＴ装置。
【請求項４】
前記ＯＣＴ光学系は、
前記眼底中心部に導かれた前記測定光と前記第１の参照光路からの参照光との干渉信号を検出するための第１の検出器と、
前記第１の検出器とは異なる第２の検出器であって、前記眼底周辺部に導かれた前記測定光と前記第２の参照光路からの参照光との干渉信号を検出するための第２の検出器と、
を備えることを特徴とする請求項１〜３のいずれかのＯＣＴ装置。
【請求項５】
前記第１の参照光路は、測定光と参照光との光路長が一致するゼロディレイ位置よりも眼底中心部の脈絡膜が前側に形成された状態での第１のＯＣＴデータが取得されるように光路長が設定されていることを特徴とする請求項１〜４のいずれかのＯＣＴ装置。
【請求項６】
前記第２の参照光路は、測定光と参照光との光路長が一致するゼロディレイ位置よりも眼底周辺部の網膜が奥側に形成された状態での第２のＯＣＴデータが取得されるように光路長が設定されていることを特徴とする請求項１〜５のいずれかのＯＣＴ装置。
【請求項７】
前記ＯＣＴ光学系は、
さらに、測定光路を介して被検眼前眼部に導かれた測定光と参照光路からの参照光との干渉信号を検出器によって検出可能であり、
前記第１の参照光路と前記第２の参照光路は、異なる光路長に設定され、前記第１の参照光路と前記第２の参照光路の一方は、被検眼の角膜を含むＯＣＴデータを得るための光路長に設定され、前記第１の参照光路と前記第２の参照光路の他方は、被検眼の水晶体を含むＯＣＴデータを得るための光路長に設定されることを特徴とする請求項１〜６のいずれかのＯＣＴ装置。
【請求項８】
前記画像処理器は、
前記眼底中心部を含むＯＣＴデータと前記眼底周辺部を含むＯＣＴデータとを合成して、被検眼眼底の広角ＯＣＴデータを得ることを特徴とする請求項１〜７のいずれかのＯＣＴ装置。
【発明の詳細な説明】
【技術分野】
【０００１】
本開示は、被検眼眼底のＯＣＴデータを得るＯＣＴ装置に関する。
【背景技術】
【０００２】
被検物のＯＣＴデータを得るＯＣＴ装置として、例えば、ＯＣＴ光学系から出力されるスペクトル干渉信号を処理してＯＣＴデータを取得可能な装置が知られており、近年では、眼底の中央部と周辺部を広範囲に走査して広角の断層画像を得るための構成が開示されている（例えば、特許文献１参照）。
【０００３】
例えば、特許文献１の装置では、ＯＣＴ干渉計とは別に設けられたｋクロック干渉計の光路長差を２２ｍｍ以上に設定し、眼底の広範囲で１回の走査を行うというものである。
【先行技術文献】
【特許文献】
【０００４】
【特許文献１】特開２０１６−２０９５２９号公報
【発明の概要】
【発明が解決しようとする課題】
【０００５】
しかしながら、上記構成の場合、ｋクロック干渉計を設けることが必須である。kクロックは高速なサンプリングを必要とするため、伴って検出器も高速とせねばならない。しかるにこれは高価であるばかりでなく、高周波は一般にノイズに弱く、高速なkクロックはその安定性を失いやすい。このため、高周波領域即ちゼロディレイ位置から離れた深度において、ＳＮＲの低下やジッターによるサンプリングエラーを招きやすい。また、高周波まで安定的に検出を行おうとすると、装置は、さらに複雑かつ非常に高価となる。
【０００６】
本件発明は、上記問題点を鑑み、広角のＯＣＴデータを良好な信号強度にて取得できるＯＣＴ装置を提供することを技術課題とする。
【課題を解決するための手段】
【０００７】
上記課題を解決するために、本開示は以下のような構成を備えることを特徴とする。
【０００８】
ＯＣＴ光源からの光を測定光路と参照光路に分割し、測定光路を介して被検眼眼底に導かれた測定光と参照光路からの参照光との干渉信号を検出器によって検出するＯＣＴ光学系と、前記ＯＣＴ光学系から出力されるスペクトル干渉信号を処理してＯＣＴデータを取得可能な画像処理器と、を備えるＯＣＴ装置であって、
前記ＯＣＴ光学系は、
前記測定光が眼底上を横断する一つの横断方向に関して眼底中心部と眼底周辺部を含む広角領域に測定光を導くＯＣＴ光学系であって、
前記眼底中心部を含むＯＣＴデータを得るために設定された光路長を有する第１の参照光路と、前記眼底周辺部を含むＯＣＴデータを得るために設定された光路長を有し前記第１の参照光路とは異なる第２の参照光路と、を備え、
前記画像処理器は、
前記眼底中心部に導かれた前記測定光と前記第１の参照光路からの参照光との干渉信号に基づいて前記眼底中心部を含むＯＣＴデータを得ると共に、前記眼底周辺部に導かれた前記測定光と前記第２の参照光路からの参照光との干渉信号に基づいて前記眼底周辺部を含むＯＣＴデータを得ることを特徴とする。
【発明の効果】
【０００９】
広角のＯＣＴデータを良好な信号強度にて取得できる。
【発明を実施するための形態】
【００１０】
本開示の実施形態の一例について図面に基づいて説明する。図１〜図２２は本実施形態の実施例に係る図である。なお、以下の＜＞にて分類された項目は、独立又は関連して利用されうる。
【００１１】
本実施形態に係るＯＣＴ装置は、ＯＣＴ光学系を備え、ＯＣＴ光学系の検出器から出力されるスペクトル干渉信号を処理してＯＣＴデータを取得可能であってもよい。この場合、ＯＣＴ光学系は、例えば、フーリエドメインＯＣＴ光学系（ＳＳ−ＯＣＴ光学系、ＳＤ−ＯＣＴ光学系）であってもよく、ＯＣＴ光学系は、ＯＣＴ光源からの光を測定光路と参照光路に分割するための光分割器を有し、測定光路を介して被検物に導かれた測定光と参照光路からの参照光とのスペクトル干渉信号を検出してもよい。
【００１２】
＜眼底広角撮影＞  ＯＣＴ光学系は、ＯＣＴ光源からの光を測定光路と参照光路に分割し、測定光路を介して被検眼眼底に導かれた測定光と参照光路からの参照光との干渉信号を検出器によって検出するために設けられてもよい。
【００１３】
ＯＣＴ光学系は、測定光が眼底上を横断する一つの横断方向に関して眼底中心部と眼底周辺部を含む広角領域に測定光を導くことが可能なＯＣＴ光学系であってもよい。この場合、広角領域としては、例えば、特定の横断方向（例えば、水平方向）に関して測定光が眼底上で横断する場合、眼底中心部と眼底周辺部の両方に横断するように広い角度領域であってもよい。また、測定光が横断する横断領域に関して、例えば、眼底中心部での横断領域と眼底周辺部での横断領域は、横断方向に関して連続してもよい。広角領域としては、例えば、眼底上において１８ｍｍ以上の領域であってもよい。もちろん、広角領域が１８ｍｍよりも狭い領域を得る場合に用いられてもよく、本実施形態の装置は、眼底の湾曲度が大きい被検眼の周辺領域を撮像する場合に特に有用である。
【００１４】
眼底の広角領域に測定光を導くことが可能なＯＣＴ光学系としては、例えば、対物レンズ光学系が用いられてもよいし、凹面ミラーを用いた対物ミラー光学系が用いられてもよい。また、対物レンズ光学系に、広角アタッチメントが取り付けられた構成であってもよい。
【００１５】
眼底中心部としては、例えば、少なくとも眼底の黄斑部及び乳頭部を含む領域が設定され、眼底周辺部として、一つの横断方向に関して眼底中心部の両端部よりも外側の領域をそれぞれ含む領域が設定されてもよい。もちろんこれに限定されず、例えば、眼底中心部として、少なくとも眼底の黄斑部を含む領域が設定され、眼底周辺部として、一つの横断方向に関して眼底中心部の両端部よりも外側の領域をそれぞれ含む領域が設定されてもよい。
【００１６】
ＯＣＴ光学系は、複数の参照光路を備えてもよい。例えば、ＯＣＴ光学系は、眼底中心部を含むＯＣＴデータを得るために設定された光路長を有する第１の参照光路と、眼底周辺部を含むＯＣＴデータを得るために設定された光路長を有し第１の参照光路とは異なる第２の参照光路と、を備えてもよい。この場合、第１の参照光路と第２の参照光路との光路長差は、眼底中心部と眼底周辺部との間での測定光の光路長差に対応して設定されてもよい。なお、眼球の湾曲を考慮し、例えば、第２の参照光路の方が、第１の参照光路よりも光路長が短く設定されてもよい。
【００１７】
本実施形態に係るＯＣＴ装置は、画像処理器を備えてもよく、画像処理器は、ＯＣＴ光学系から出力されるスペクトル干渉信号を処理してＯＣＴデータを取得可能であってもよい。
【００１８】
この場合、例えば、画像処理器は、眼底中心部に導かれた測定光と第１の参照光路からの参照光との干渉信号に基づいて眼底中心部を含むＯＣＴデータを得てもよいし、眼底周辺部に導かれた測定光と第２の参照光路からの参照光との干渉信号に基づいて眼底周辺部を含むＯＣＴデータを得てもよい。この場合、例えば、眼底中心部を含むＯＣＴデータと、眼底周辺部を含むＯＣＴデータは、横断方向と深さ方向の少なくともいずれかに関して連続してもよい。
【００１９】
これによれば、例えば、眼底中心部に対応する参照光路と眼底周辺部に対応する参照光路が設けられることによって、例えば、広角領域におけるＯＣＴデータを良好な信号強度にて取得できる。
【００２０】
なお、画像処理器は、眼底中心部を含むＯＣＴデータと前記眼底周辺部を含むＯＣＴデータとを合成して、被検眼眼底の広角ＯＣＴデータを得てもよい。これによって、一枚の広角ＯＣＴデータを得ることができる。
【００２１】
ＯＣＴ光学系は、測定光を被検眼眼底上で走査するための光走査部（光スキャナ）を備えてもよい。この場合、光走査部は、眼底上において測定光を一つの走査方向に走査することによって、眼底中心部と眼底周辺部を含む広角領域を走査してもよい。この場合、例えば、眼底中心部での走査領域と眼底周辺部での走査領域は、横断方向に関して連続してもよい。また、光走査部は、例えば、眼底上の広角領域を走査可能な走査角度まで測定光を走査できるように構成されてもよい。また、光走査部は、例えば、被検眼の瞳孔と略共役位置に配置され、瞳孔中心を旋回点として測定光を測定してもよい。
【００２２】
光走査部が設けられる場合、光走査部による１回のＢスキャンによって、眼底中心部と眼底周辺部を含む広角領域に測定光を走査し、眼底中心部を含むＯＣＴデータと眼底周辺部を含むＯＣＴデータが取得されてもよい。これによって、例えば、広角領域におけるＯＣＴデータをスムーズに取得できる。
【００２３】
ＯＣＴ光学系は、例えば、眼底中心部に対応する第１の検出器と眼底周辺部に対応する第２の検出器とを備えてもよい。この場合、ＯＣＴ光学系は、眼底中心部に導かれた測定光と第１の参照光路からの参照光との干渉信号を検出するための第１の検出器と、第１の検出器とは異なる第２の検出器であって眼底周辺部に導かれた測定光と第２の参照光路からの参照光との干渉信号を検出するための第２の検出器と、を備えてもよい。これによれば、例えば、第１の検出器と第２の検出器が並列的に用いることができるので、眼底中心部と眼底周辺部のＯＣＴデータを確実に検出することができると共に、各ＯＣＴデータをスムーズかつ良好な信号強度にて取得できる。
【００２４】
＜参照光路の光路長＞
なお、第１の参照光路は、例えば、測定光と参照光との光路長が一致するゼロディレイ位置よりも眼底中心部の脈絡膜が前側に形成された状態での第１のＯＣＴデータが取得されるように光路長が設定されてもよい。これによれば、例えば、第１のＯＣＴデータにおいて、ミラーイメージと実像とが混在するのを軽減できると共に、脈絡膜側のコントラストを向上させることができる。
【００２５】
また、第２の参照光路は、例えば、測定光と参照光との光路長が一致するゼロディレイ位置よりも眼底周辺部の網膜が奥側に形成された状態での第２のＯＣＴデータが取得されるように光路長が設定されてもよい。これによれば、例えば、第２のＯＣＴデータにおいて、ミラーイメージと実像とが混在するのを軽減できると共に、眼底周辺部での光量低下の影響を軽減できる。
【００２６】
なお、第１の参照光路と第２の参照光路が上記のように設定されることで、第１のＯＣＴデータ及び第２のＯＣＴデータの両方においてミラーイメージと実像との混在を軽減できると共に、広角領域でのＯＣＴデータ全体を良好な信号強度で得ることができる。
【００２７】
なお、第１の参照光路と第２の参照光路は、上記構成に限定されない。第１の参照光路は、例えば、ゼロディレイ位置よりも眼底中心部の網膜が奥側に形成された状態での第１のＯＣＴデータが取得されるように光路長が設定されてよいし、第２の参照光路は、例えば、ゼロディレイ位置よりも眼底周辺部の脈絡膜が前側に形成された状態での第２のＯＣＴデータが取得されるように光路長が設定されてもよい。
【００２８】
ＯＣＴ光学系は、さらに、測定光路を介して被検眼前眼部に導かれた測定光と参照光路からの参照光との干渉信号を検出器によって検出可能であってもよい。この場合、第１の参照光路と第２の参照光路は異なる光路長に設定され、第１の参照光路と第２の参照光路の一方は、被検眼の角膜（例えば、角膜及び水晶体前面）を含むＯＣＴデータを得るための光路長に設定され、第１の参照光路と第２の参照光路の他方は、被検眼の水晶体（例えば、水晶体後面）を含むＯＣＴデータを得るための光路長に設定されてもよい。これによれば、広角領域でのＯＣＴデータに加えて、前眼部の広範囲におけるＯＣＴデータを良好な信号強度にて取得できる。
【００２９】
なお、上記説明においては、眼底中心部と眼底周辺部に対応する２つの参照光路を設けたが、これに限定されず、３つ以上の参照光路が設けられてもよい。例えば、眼底全体が、眼底中心部と、眼底中心部よりも外側の第１の眼底周辺部と、第１の眼底周辺部よりも外側の第２の眼底周辺部と、に分割され、眼底中心部に対応する第１の参照光路と、第１の眼底周辺部に対応する第２の参照光路と、第２の眼底周辺部に対応する第３の参照光路が設けられてもよい。
【００３０】
また、２つの参照光路の光路長を調整し、眼底中心部に対応する第１の参照光路と、第１の眼底周辺部に対応する第２の参照光路と、に設定された第１の広角撮影モードと、眼底中心部又は第１の眼底周辺部に対応する第１の参照光路と、第２の眼底周辺部に対応する第２の参照光路と、に設定された第２の広角撮影モードと、が切換可能であってもよい。
【００３１】
＜実施例＞
本実施例では、ＯＣＴ装置として、図１に示される光コヒーレンストモグラフィー（ＯＣＴ）装置が用いられる。本実施例に係るＯＣＴ装置は、例えば、波長掃引式ＯＣＴ（ＳＳ−ＯＣＴ：Swept Source-OCT）を基本的構成とし、波長可変光源１０２、干渉光学系（ＯＣＴ光学系）１００、演算制御器（演算制御部）７０と、を含む。その他、ＯＣＴ装置には、メモリ７２、表示部７５、図示無き正面像観察系及び固視標投影系が設けられてもよい。演算制御器（以下、制御部）７０は、波長可変光源１０２、干渉光学系１００、メモリ７２、表示部７５に接続されている。
【００３２】
干渉光学系１００は、導光光学系１５０によって測定光を眼Ｅに導く。干渉光学系１００は、参照光学系１１０に参照光を導く。干渉光学系１００は、眼Ｅによって反射された測定光と参照光との干渉、によって取得される干渉信号光を検出器（受光素子）１２０に受光させる。さらに、本実施例の干渉光学系１００は、ＦＰＮ生成光学系２００を備える（詳しくは後述する）。なお、干渉光学系１００は、図示無き筐体（装置本体）内に搭載され、ジョイスティック等の操作部材を介して周知のアライメント移動機構により眼Ｅに対して筐体を３次元的に移動させることによって被検眼に対するアライメントが行われてもよい。
【００３３】
干渉光学系１００には、ＳＳ−ＯＣＴ方式が用いられ、光源１０２として出射波長を時間的に高速で変化させる波長可変光源（波長走査型光源）が用いられる。光源１０２は、例えば、レーザ媒体、共振器、及び波長選択フィルタによって構成される。そして、波長選択フィルタとして、例えば、回折格子とポリゴンミラーの組み合わせ、ファブリー・ペローエタロンを用いたフィルタが挙げられる。また、光源１０２として、ＶＣＳＥＬ式波長可変光源が用いられてもよい。
【００３４】
カップラ（スプリッタ）１０４は、第１の光分割器として用いられ、光源１０２から出射された光を測定光路と参照光路に分割する。カップラ１０４は、例えば、光源１０２からの光を測定光路側の光ファイバー１０５に導光すると共に、参照光路側の参照光学系１１０に導光する。
【００３５】
カップラ（スプリッタ）１３０は、第２の光分割器として用いられ、光ファイバー１０５からの光（測定光）を、導光光学系１５０の光路とＦＰＮ生成光学系２００の光路に分割する。つまり、測定光路には、導光光学系１５０とＦＰＮ生成光学系２００が設けられている。カップラ（スプリッタ）１３０は、ビームスプリッタであってもよいし、サーキュレータであってもよい。
【００３６】
＜導光光学系＞
導光光学系１５０は、測定光を眼Ｅに導くために設けられる。導光光学系１５０には、例えば、光ファイバー１５２、カップラ１５３、コリメータレンズ１５４、光スキャナ１５６、及び対物レンズ系１５８が順次設けられてもよい。この場合、測定光は、光ファイバー１５２、カップラ１５３を介して、コリメータレンズ１５４によって平行ビームとなり、光スキャナ１５６に向かう。光スキャナ１５６を通過した光は、対物レンズ系１５８を介して、眼Ｅに照射される。測定光は、前眼部及び後眼部の両方に照射され、各組織にて散乱・反射される。
【００３７】
光スキャナ１５６は、眼Ｅ上でＸＹ方向（横断方向）に測定光を走査させてもよい。光スキャナ１５６は、例えば、２つのガルバノミラーであり、その反射角度が駆動機構によって任意に調整される。光源１０２から出射された光束は、その反射（進行）方向が変化され、眼底上で任意の方向に走査される。光スキャナ１５６としては、例えば、反射ミラー（ガルバノミラー、ポリゴンミラー、レゾナントスキャナ）の他、光の進行（偏向）方向を変化させる音響光学素子（ＡＯＭ）等が用いられてもよい。
【００３８】
この場合、測定光による眼Ｅからの散乱光（反射光）は、対物レンズ系１５８、光スキャナ１５６、コリメータレンズ１５４、カップラ１５３、光ファイバー１５２を経た後、カップラ１３０に達する。カップラ１３０は、光ファイバー１５２からの光を、第１の検出器１２０ａに向かう光路（例えば、光ファイバー１１５〜カップラ３５０ａ）と、第２の検出器１２０ｂに向かう光路（例えば、光ファイバー１０５〜カップラ１０４〜光ファイバー１１７〜カップラ３５０ｂ）に分割する。
【００３９】
カップラ１３０によって分割された測定光のうち、第１の検出器１２０ａに向かう光路を経由した測定光は、カップラ３５０ａにて、第１の参照光路１１０ａからの参照光と合波されて干渉する。また、第２の検出器１２０ｂに向かう光路を経由した測定光は、カップラ３５０ｂにて、第２の参照光路１１０ｂからの参照光と合波されて干渉する。
【００４０】
＜参照光学系＞
参照光学系１１０は、眼Ｅでの測定光の反射によって取得される反射光と合成される参照光を生成する。参照光学系１１０を経由した参照光は、カップラ（例えば、カップラ３５０ａ、３５０ｂ）にて測定光路からの光と合波されて干渉する。参照光学系１１０は、マイケルソンタイプであってもよいし、マッハツェンダタイプであってもよい。
【００４１】
参照光学系１１０は、例えば、反射光学系によって形成され、カップラ１０４からの光を反射光学系により反射することにより検出器１２０に導いてもよい。参照光学系１１０は、透過光学系によって形成されてもよい。この場合、参照光学系１１０は、カップラ１０４からの光を戻さず透過させることにより検出器１２０へと導く。
【００４２】
なお、測定光路と参照光路の少なくともいずれかには、測定光と参照光との光路長差を調整するための光学部材が配置されてもよい。例えば、コリメータレンズ１５４とカップラ１５３とが一体的に移動されることで、測定光の光路長が調整され、結果として、測定光と参照光との光路長差が調整されてもよい。もちろん、参照光路に配置された光学部材が移動されることによって、結果として、測定光と参照光との光路長差が調整されてもよい。
【００４３】
本実施例において、参照光学系１１０として、複数の参照光路が設けられてもよく、例えば、第１の参照光路１１０ａと、第２の参照光路１１０ｂとが設けられてもよい。
【００４４】
参照光学系１１０は、例えば、参照光路を第１の参照光路１１０ａと、第２の参照光路１１０ｂに分割するための光分割器（例えば、カップラ１１１）が設けられてもよい。第１の参照光路１１０ａと、第２の参照光路１１０ｂの少なくともいずれかには、例えば、参照光の光路長を変更するために移動される光学部材１１２が設けられてもよい。光学部材１１２は、制御部７０によって制御される図示なき駆動部によって移動されてもよい。
【００４５】
例えば、カップラ１０４からの参照光は、カップラ１１１によって第１の参照光路１１０ａと第２の参照光路１１０ｂに分割される。第１の参照光路１１０ａを経由した参照光は、カップラ３５０ａにて、光ファイバ１１５からの測定光と合波されて干渉する。第２の参照光路１１０ｂを経由した参照光は、カップラ３５０ｂにて、光ファイバ１１７からの測定光と合波されて干渉する。
【００４６】
第１の参照光路１１０ａと、第２の参照光路１１０ｂは、互いに異なる光路長に設定されてもよい。これによって、例えば、互いに異なる深さ領域に対応する干渉信号を同時に取得でき、結果として、広範囲のＯＣＴデータを同時に取得できる。
【００４７】
例えば、第１の参照光路１１０ａが、被検眼における第１の深さ領域（例えば、水晶体、眼底）に対応する干渉信号を得るために設けられ、第２の参照光路１１０ｂは、被検眼における第２の深さ領域（例えば、角膜）に対応する干渉信号を得るために設けられてもよい。この場合、第２の深さ領域は、第１の深さ領域に対して異なる領域に設定される。この場合、第１の深さ領域と第２の深さ領域は、互いに分離した領域であってもよいし、互いに隣接した領域であってもよいし、一部が重複した領域であってもよい。
【００４８】
なお、第１の参照光路１１０ａと、第２の参照光路１１０ｂは、同じ光路長に設定されてもよい。これによって、例えば、同一の深さ領域に対応する干渉信号を同時に取得でき、結果として、同一領域に関する複数のＯＣＴデータを同時に取得できる。
【００４９】
＜光検出器＞
検出器１２０は、測定光路からの光と参照光路からの光による干渉を検出するために設けられている。なお、検出器１２０は、受光素子であってもよく、例えば、受光部が一つのみからなるポイントセンサであって、例えば、アバランシェ・フォト・ダイオードが用いられてもよい。
【００５０】
本実施例では、検出器１２０として、第１の検出器１２０ａと、第１の検出器１２０ａとは異なる第２の検出器１２０ｂと、が設けられてもよい。第１の検出器１２０ａは、第１の参照光路１１０ａからの参照光と光ファイバー１１５からの測定光との第１の干渉信号を検出するための検出器として設けられてもよい。第２の検出器１２０ｂは、第２の参照光路１１０ｂからの参照光と光ファイバ１１７からの測定光との第２の干渉信号を検出するための検出器として設けられてもよい。この場合、第１の検出器１２０ａにて第１の干渉信号を検出すると同時に、第２の検出器１２０ｂにて第２の干渉信号を検出することによって、第１の干渉信号と第２の干渉信号を同時に検出可能である。これらの検出器のサンプリング速度は、互いに異なっていても良いし、同じであっても良い。
【００５１】
なお、第１の検出器１２０ａ、第２の検出器１２０ｂは、それぞれ平衡検出器であってもよい。この場合、第１の検出器１２０ａ、第２の検出器１２０ｂは、複数の受光素子をそれぞれ備え、第１受光素子からの干渉信号と第２受光素子からの干渉信号との差分を得て、干渉信号に含まれる不要なノイズを削減できる。
【００５２】
＜ＦＰＮ生成光学系＞
ＦＰＮ生成光学系２００は、ＦＰＮ信号を生成するために設けられてもよい。ＦＰＮ生成光学系２００は、ＦＰＮを発生させる光学部材（例えば、第１の光学部材２０４又は第２の光学部材２０６）を少なくとも一つ備えてもよい。本実施例において、ＦＰＮ生成光学系２００は、測定光が被検眼に向かう光路から分岐された位置に配置されている。
【００５３】
ＦＰＮ生成光学系２００としては、例えば、反射光学系であってもよく、ＦＰＮ発生用光学部材としては、例えば、光反射部材（例えば、ミラー）が用いられてもよい。なお、本実施例においては、ＦＰＮを発生させる光学部材を複数設けたが、これに限定されず、ＦＰＮ生成光学系２００は、ＦＰＮを発生させる光学部材を一つ備える構成であってもよい。
【００５４】
第１の検出器１２０ａには、第１の干渉信号と共にＦＰＮ信号が検出され、第２の検出器１２０ｂには、第２の干渉信号と共にＦＰＮ信号が検出される。ＦＰＮ信号は、例えば、第１の干渉信号に基づく第１のＯＣＴデータと、第２の干渉信号に基づく第２のＯＣＴデータとの合成（詳しくは後述する）、各干渉信号の波数マッピング補正、偏光調整等に用いられてもよい。
【００５５】
例えば、ＦＰＮ生成光学系２００は、第１のＦＰＮ信号と第２のＦＰＮ信号を生成するために設けられてもよい。例えば、ＦＰＮ生成光学系２００は、第１のＦＰＮを発生させる第１の光学部材２０４と、第２のＦＰＮを発生させる第２の光学部材２０６と、を少なくとも備えてもよい。第２の光学部材２０６は、第２の光学部材を経由した光が、第１の光学部材２０４を経由した光による光路長とは異なるように配置されてもよい。これによって、第２のＦＰＮは、第１のＦＰＮに対して異なる位置に発生される。なお、後述するゼロディレイ位置は、ＯＣＴデータ上において、測定光の光路長と参照光の光路長とが一致する位置に対応する。
【００５６】
第１の光学部材２０４と第２の光学部材２０６とが同時に使用されることによって、２つのＦＰＮ信号を同時に生成することが可能であり、これによって、２つのＦＰＮ信号を処理する際の時間的なずれの影響を軽減できる。なお、ＦＰＮ光学系２００は、３つ以上のＦＰＮ発生用光学部材を備えてもよく、これらが同時に使用されることによって、３つ以上のＦＰＮ信号を同時に生成することが可能である。
【００５７】
ＦＰＮ生成光学系２００としては、例えば、反射光学系であってもよく、ＦＰＮ発生用光学部材としては、例えば、光反射部材（例えば、ミラー）が用いられてもよい。本実施例では、第１のＦＰＮ発生用光学部材２０４、第２のＦＰＮ発生用光学部材２０６としてミラーが用いられているが、これに限定されない。
【００５８】
この場合、カップラ１３０からの光は、第１の光学部材２０４又は第２の光学部材２０６を経由した後、カップラ１３０に戻され、導光光学系１５０からの光と同様の経路を経て、カップラ３５０ａ，カップラ３５０ｂに達する。ＦＰＮ生成光学系２００からの光は、カップラ３５０ａ，３５０ｂにて参照光と合波されて干渉する。なお、光源１０２〜ＦＰＮ生成光学系２００〜カップラ３５０ａ，３５０ｂの光路長と、光源１０２〜参照光学系１１０〜カップラ３５０ａ，３５０ｂまでの光路長は、ほぼ同じ長さに設定されてもよい。
【００５９】
例えば、第１の光学部材２０４を経由した光が参照光と干渉することによって、第１のＦＰＮに対応する干渉信号光が生成され、検出器１２０には第１のＦＰＮ信号が生成され、第２の光学部材２０６を経由した光が参照光と干渉することによって、第２のＦＰＮに対応する干渉信号光が生成され、検出器１２０には第２のＦＰＮ信号が生成される。結果として、例えば、検出器１２０には、第１のＦＰＮ信号と第２のＦＰＮ信号の両方が同時に検出される。
【００６０】
ＦＰＮ信号を所定の処理に用いる場合、検出器１２０ａ、検出器１２０ｂのそれぞれにおいて、第１のＦＰＮ信号と第２のＦＰＮ信号の両方が同時に検出されてもよいし、検出器１２０ａにおいて一方のＦＰＮ信号が検出され、検出器１２０ｂにおいて他方のＦＰＮ信号が検出されてもよい。また、検出器１２０ａ、検出器１２０ｂの一方において、第１のＦＰＮ信号と第２のＦＰＮ信号の両方が同時に検出され、検出器１２０ａ、検出器１２０ｂの他方において第１のＦＰＮ信号と第２のＦＰＮ信号の一方が検出されてもよい。また、検出器１２０ａ、検出器１２０ｂの一方において、少なくとも一つのＦＰＮ信号が検出され、また、検出器１２０ａ、検出器１２０ｂの他方において、ＦＰＮ信号が検出されなくてもよい。
【００６１】
なお、ＦＰＮ生成光学系２００には、光量モニタ２１０が配置されてもよく、光源１０２からの光は、ビームスプリッタ２０８を介して光量モニタ１２０によって検出される。光量モニタ１２０からの出力信号は、光源１０２の出射光量が適正か否かを判定するために用いられてもよい。
【００６２】
＜光量分岐比＞
ここで、カップラ１３０は、カップラ１０４からの光を、導光光学系１５０の光路とＦＰＮ生成光学系２００の光路に分割すると共に、導光光学系１５０及びＦＰＮ生成光学系２００からの光を、第１の検出器３５０ａへと向かう光路（例えば、光ファイバー１１５〜カップラ３５０ａ）と、カップラ１０４へと向かう光路（例えば、光ファイバー１０５〜カップラ１０４〜光ファイバー１１７〜カップラ３５０ｂ）と、に分割する。
【００６３】
ファイバー１０５からの光を分割する際のカップラ１３０の光量分割比Ｓ１は、導光光学系１５０よりもＦＰＮ生成光学系２００に多くの光が導かれるように設定されてもよい。この場合、ファイバー１０５からの光がカップラ１３０―によって分割される光量比は、導光光学系１５０＜ＦＰＮ生成光学系２００となる。
【００６４】
導光光学系１５０からの光を分割する際のカップラ１３０の光量分割比Ｓ２は、光量分割比Ｓ１に依存する。この結果、導光光学系１５０からの光に関し、第１の検出器１２０ａに向かう光路よりも、第２の検出器１２０ａに向かう光路に、多くの光が導かれる。この場合、導光光学系１５０からの光がカップラ１３０によって分割される光量比は、第１の検出器１２０ａに向かう光路＜カップラ１０４に向かう光路となる。
【００６５】
第１の検出器１２０ａに向かう光路を経由した測定光は、第１の参照光路１１０ａからの光と干渉した後、第１の検出器１２０ａにて第１の干渉信号として検出される。一方、カップラ１０４に向かう測定光は、カップラ１０４によって、光源１０２に向かう光路と、第２の検出器１２０ｂに向かう光路（例えば、光ファイバー１１７〜カップラ３５０ｂ）に分割される。カップラ１３０からの光を分割する際の光量分割比Ｓ４は、光源１０２からの光を測定光路と参照光路とに分割する際の光量分割比Ｓ３に依存する。光量分割比Ｓ３が、測定光路よりも参照光路に多くの光が導かれるように設定された場合、カップラ１３０からの光がカップラ１０４によって分割される光量比は、光源１０２に向かう光路＜第２の検出器１２０ｂに向かう光路となる。この結果、カップラ１３０からの光に関し、光源１０２に向かう光路よりも、第２の検出器１２０ｂに向かう光路に多くの光が導かれる。第２の検出器１２０ｂに向かう光路を経由した測定光は、第２の参照光路１１０ｂからの光と干渉した後、第２の検出器１２０ｂにて第２の干渉信号として検出される。
【００６６】
上記構成をまとめると、カップラ１３０の光量分割比Ｓ２に関して、第１の検出器１２０ａに向かう光路＜カップラ１０４に向かう光路であり、カップラ１０４の光量分割比Ｓ４に関して、光源１０２に向かう光路＜第２の検出器１２０ｂに向かう光路にて設定されている。
【００６７】
この結果として、第１の検出器１２０ａにて検出される第１の干渉信号と、第２の検出器１２０ｂにて検出される第２の干渉信号と、を適度なバランスにて検出できる。つまり、カップラ１０４を経由して第２の検出器１２０ｂに向かう光路の場合、導光光学系１５０からの光は、複数の光分割器（例えば、カップラ１３０、カップラ１０４）を経由するので、光量減衰の回数が多いのに対し、第１の検出器１２０ａに向かう光路の場合、導光光学系１５０からの光は、カップラ１３０を経由して第１の検出器１２０ａに達するので、光量減衰の回数が相対的に少ない。
【００６８】
そこで、カップラ１３０の光量分割比Ｓ２に関して、第１の検出器１２０ａに向かう光路＜カップラ１０４に向かう光路であり、カップラ１０４の光量分割比Ｓ４に関して、光源１０２に向かう光路＜第２の検出器１２０ｂに向かう光路であることで、光量減衰が複数回行われたとしても、光量減衰を軽減でき、結果として、第１の検出器１２０ａと第２の検出器１２０ｂとの間で信号強度の差異を少なくできる。したがって、第１の検出器１２０ａによって得られるＯＣＴデータと第２の検出器１２０ｂによって得られるＯＣＴデータとの信号強度の差異が少なくなり、それぞれ適正なＯＣＴデータを取得できる。
【００６９】
なお、カップラ１３０の光量分割比Ｓ２と、カップラ１０４の光量分割比Ｓ４に関して、第１の検出器１２０ａに向かう光路と第２の検出器１２０ｂに向かう光路との光量比が同一となるように設定されてもよい。その一例としては、カップラ１３０の光量分割比Ｓ２に関して、第１の検出器１２０ａに向かう光路：カップラ１０４に向かう光路＝６：４、カップラ１０２の光量分割比Ｓ４に関して、光源１０２に向かう光路：第２の検出器１２０ｂに向かう光路＝１：２となるように設定されてもよい。
【００７０】
上記限定されず、カップラ１３０の光量分割比Ｓ２と、カップラ１０４の光量分割比Ｓ４に関して、第１の検出器１２０ａと第２の検出器１２０ｂによって検出されるＯＣＴデータの撮影部位での反射光量の違いを考慮して、光量分割比が設定されてもよい。つまり、被検眼の角膜からの反射光は、反射光量が大きいが、水晶体及び眼底からの光は、反射光量が相対的に少ない。そこで、撮影部位による反射光量比を考慮して、結果として、第１の検出器１２０ａと第２の検出器１２０ｂとの間でのＯＣＴデータの信号強度が同一となるように、カップラ１３０の光量分割比Ｓ２と、カップラ１０４の光量分割比Ｓ４が設定されてもよい。
【００７１】
なお、本実施例において、導光光学系１５０からの光を複数の検出器に導光させる際、１つの光分割器（例えば、カップラ１３０）を介して第１の検出器１２０ａに向かう光と、複数のカップラ（例えば、カップラ１３０、カップラ１０４）を介して第２の検出器１２０ｂに向かう光に分けたのは、導光光学系１５０からの光をより多く効率的に各検出器に導かれるためである。このような光学配置は、光源１２０の出射光量が限られており、被検眼からの反射光が微弱であるような場合に、特に有利である。
【００７２】
図２は、本実施例に係るＦＰＮ生成光学系の一例を示す図である。ＦＰＮ生成光学系２００は、例えば、第１の光学部材２０４を備える第１の光路２０３と、第２の光学部材２０６を備える第２の光路２０５とを少なくとも備えてもよい。ここで、第１の光路２０３と第２の光路２０５との間において、第１の光路２０３の光路長と第２の光路２０５の光路長が異なることによって、第２のＦＰＮは、第１のＦＰＮとは異なる位置に生成される。例えば、第２の光路２０５の光路長が第１の光路２０３の光路長よりも長いことによって、第１のＦＰＮよりもゼロディレイから離れた位置に生成される。
【００７３】
ＦＰＮ生成光学系２００は、光路分割部材２０２（例えば、ビームスプリッタ）を備えてもよく、光路分割部材２０２は、光源側の光路を、第１の光路２０３と第２の光路２０５とに分割するために設けられてもよい。第１の光学部材２０４は、光路分割部材２０２によって分割された第１の光路２０３に配置されており、第２の光学部材２０６は、光路分割部材２０２によって分割された第２の光路に配置されている。
【００７４】
第１の光路２０３と第２の光路２０５は、互いに異なる光路長を持つ。つまり、光路分割部材２０２の分岐位置から第１の光学部材２０４までの光路長と、光路分割部材２０２の分岐位置から第２の光学部材２０６までの光路長は異なる。この結果として、第１の光学部材２０４によって形成される第１のＦＰＮと、第２の光学部材２０６によって形成される第２のＦＰＮは、ＯＣＴ画像上において深さ方向に異なる位置に形成される。なお、深さ方向における第１のＦＰＮと第２のＦＰＮとの間の距離は、第１の光路２０３と第２の光路２０５との間の光路長差に起因する。
【００７５】
また、第１の光路２０３と第２の光路２０５は、互いに等しい光学的分散量に設定（構築）されている。この結果として、第１のＦＰＮを用いて算出される各波数成分のマッピング情報（以下、第１の波数マッピング情報）と、第２のＦＰＮを用いて算出される各波数成分のマッピング情報（以下、第２の波数マッピング情報）との間の差分に基づいて、各波数成分のマッピング状態を補正するための補正情報を演算により求める際、各マッピング情報に含まれる分散成分を適正にキャンセルできるので、補正情報を精度よく求めることができる（詳しくは、後述する）。この場合、互いに等しい分散量としては、厳密に同一である必要は必ずしもなく、一定の精度を確保し、分散成分を適正にキャンセルできればよい。
【００７６】
＜偏波調整機構＞
本実施例のＯＣＴ光学系１００において、複数の偏光調整部が設けられてもよく、例えば、ＯＣＴ光学系１００の光路には、第１の偏光調整部３００、第２の偏光調整部３０２、第３の偏光調整部３０４が設けられてもよい（図１参照）。
【００７７】
第１の偏光調整部３００は、第１の参照光路１１０ａの光路に配置され、第１の参照光路１１０ａを経由する参照光の偏光状態を調整するために設けられてもよい。第２の偏光調整部３０２は、第２の参照光路１１０ｂの光路に配置され、第２の参照光路１１０ｂを経由する参照光の偏光状態を調整するために設けられてもよい。第３の偏光調整部３０４は、ＦＰＮ生成光学系２００の光路に配置され、ＦＰＮ生成光学系２００の光路を経由する光の偏光状態を調整するために設けられてもよい。
【００７８】
＜深さ情報の取得＞
光源１０２により出射波長が変化されると、これに対応する干渉信号光が検出器１２０に受光され、結果的に、スペクトル信号として検出器１２０によって検出される。制御部７０は、検出器１２０によって検出されたスペクトル信号を処理（フーリエ解析）し、被検眼のＯＣＴデータを得る。
【００７９】
スペクトル信号（スペクトルデータ）は、波長λの関数として書き換えられ、波数ｋ（＝２π／λ）に関して等間隔な関数Ｉ（ｋ）に変換されてもよい。あるいは、初めから波数ｋに関して等間隔な関数Ｉ（ｋ）として取得されてもよい（Ｋ―ＣＬＯＣＫ技術）。演算制御器は、波数ｋ空間でのスペクトル信号をフーリエ変換することにより深さ（Ｚ）領域におけるＯＣＴデータを得てもよい。
【００８０】
さらに、フーリエ変換後の情報は、Ｚ空間での実数成分と虚数成分を含む信号として表されてもよい。制御部７０は、Ｚ空間での信号における実数成分と虚数成分の絶対値を求めることによりＯＣＴデータを得てもよい。
【００８１】
本実施例では、制御部７０は、第１の検出器１２０ａによって検出された第１の干渉信号を処理して第１のＯＣＴデータを得ると共に、第２の検出器１２０ｂによって検出された第２の干渉信号を処理して第２のＯＣＴデータを得てもよい。ここで、第１の参照光路１１０ａと第２の参照光路１２０ｂとが異なる光路長に設定される場合、第１のＯＣＴデータと第２のＯＣＴデータは、深さ方向に関して少なくとも一部が異なる領域のＯＣＴデータが取得され、第１の参照光路１１０ａと第２の参照光路１２０ｂとが同じ光路長に設定される場合、第１のＯＣＴデータと第２のＯＣＴデータは、深さ方向に関して同じ領域のＯＣＴデータが取得される。
【００８２】
＜制御系＞
制御部７０は、ＣＰＵ（プロセッサ）、ＲＡＭ、ＲＯＭ等を備えてもよい（図１参照）。例えば、制御部７０のＣＰＵは、ＯＣＴ装置の制御を司ってもよい。ＲＡＭは、各種情報を一時的に記憶する。制御部７０のＲＯＭには、ＯＣＴ装置の動作を制御するための各種プログラム、初期値等が記憶されてもよい。
【００８３】
制御部７０には、記憶部としての不揮発性メモリ（以下、メモリに省略する）７２、表示部７５等が電気的に接続されてもよい。メモリ７２には、電源の供給が遮断されても記憶内容を保持できる非一過性の記憶媒体が用いられてもよい。例えば、ハードディスクドライブ、フラッシュＲＯＭ、および、ＯＣＴ装置に着脱可能に装着されるＵＳＢメモリ等をメモリ７２として使用することができる。メモリ７２には、ＯＣＴデータの取得及びＯＣＴ画像の撮影を制御するための制御プログラムが記憶されてもよいし、ＦＰＮを用いてＯＣＴ画像を合成するための演算処理プログラム、各波数成分のマッピング状態を補正するための補正情報を得る演算処理プログラム等が記憶されてもよい。また、メモリ７２には、ＯＣＴデータから生成されるＯＣＴ画像の他、撮影に関する各種情報が記憶されてもよい。表示部７５は、ＯＣＴデータから生成されるＯＣＴ画像を表示してもよい。
【００８４】
＜ＦＰＮを用いた画像合成＞
制御部７０は、第１の干渉信号に基づく第１のＯＣＴデータと、第２の干渉信号に基づく第２のＯＣＴデータとを、第１の検出器１２０ａによって検出されたＦＰＮ信号と第２の検出器１２０ｂによって検出されたＦＰＮ信号とに基づいて合成することによって合成ＯＣＴデータを得てもよい（図３〜図５参照）。つまり、ＦＰＮ信号は、複数のＯＣＴデータを合成するための基準信号として用いられてもよい。ここで、第２のＯＣＴデータは、第１のＯＣＴデータに対して被検眼上の深さ領域の少なくとも一部が異なってもよい。
【００８５】
一例としては、ＦＰＮ生成光学系２００においてＦＰＮ発生用の光学部材（例えば、光学部材２０４、２０６）の配置位置は既知であるから、第１のＯＣＴデータと第２のＯＣＴデータとの位置関係をＦＰＮ信号を用いて設定してもよい。
【００８６】
これによって、第１のＯＣＴデータと第２のＯＣＴデータとの位置関係を適正に設定できる。なお、本実施例では、第１のＯＣＴデータが第１の検出器１２０ａにて検出されると同時に、第２のＯＣＴデータが第２の検出器１２０ｂにて検出されるので、被検眼の移動などによる位置ズレも軽減できる。
【００８７】
例えば、ＦＰＮ生成光学系２００は、第１のＦＰＮを発生させる第１の光学部材（例えば、第１の光学部材２０４）と、第１のＦＰＮとは異なる位置に第２のＦＰＮを発生させる第２の光学部材（例えば、第２の光学部材２０６）と、を少なくとも備え、少なくとも２つのＦＰＮ信号を生成するためのＦＰＮ生成光学系であってもよい。
【００８８】
制御部７０は、第１の干渉信号に基づく第１のＯＣＴデータと、第２の干渉信号に基づく第２のＯＣＴデータとを、第１の検出器１２０ａによって検出された第１の光学部材によるＦＰＮと第２の検出器１２０ｂによって検出された第２の光学部材によるＦＰＮとに基づいて合成することによって合成ＯＣＴデータを得てもよい。
【００８９】
図３、４はＦＰＮ信号を用いて複数のＯＣＴデータを合成する場合のデータの一例を示す図であり、図３は合成前、図４は合成後のイメージ図である。ＦＰＮ１は、第１の光学部材２０４によって生成されたＦＰＮ信号であり、ＦＰＮ２は、第２の光学部材２０６によって生成されたＦＰＮ信号である。
【００９０】
図３においては、第１のＯＣＴデータには、ＦＰＮ１が形成され、第２のＯＣＴデータ
には、ＦＰＮ２が形成される。第１のＯＣＴデータは、第１の参照光路１１０ａ及び第１の検出器１１０ａを用いて取得され、第２のＯＣＴデータは、第２の参照光路１１０ｂ及び第２の検出器１１０ｂを用いて取得されてもよい。
【００９１】
ＦＰＮ信号を用いてＯＣＴデータ間の位置関係を設定する場合、制御部７０は、例えば、第１のＯＣＴデータに含まれるＦＰＮ１と第２のＯＣＴデータに含まれるＦＰＮ２を用いてＯＣＴデータ間の位置関係を設定してもよい。ここで、制御部７０は、深さ方向におけるＦＰＮの位置を検出し、ＦＰＮの検出位置を基準として複数のＯＣＴデータを合成してもよい（図４参照）。
【００９２】
ここで、第１の光学部材２０４と第２の光学部材２０４との間の位置関係は既知であるから（例えば、光路長ΔＤ）、制御部７０は、第１のＯＣＴデータと第２のＯＣＴデータとを合成する場合、ＦＰＮ１とＦＰＮ２の位置を検出し、ＦＰＮ１の検出位置とＦＰＮ２の検出位置とが光路長ΔＤ分離間するように合成してもよい。なお、複数のＯＣＴデータ間の重複部分に関する合成について、いずれか一方のＯＣＴデータを用いるようにしてもよいし、両方のＯＣＴデータの平均を求めるようにしてもよい。
【００９３】
制御部７０は、上記のようにして合成された合成ＯＣＴデータに基づいて被検眼の寸法（例えば、前房深度、眼軸長等）を測定してもよく、さらに、得られた測定結果を表示部７５上に表示してもよい。
【００９４】
図５は、ＦＰＮ信号を用いて複数のＯＣＴデータを合成する場合のデータの変容例を示す図であり、第３のＯＣＴデータには、ＦＰＮ１とＦＰＮ２が形成されている。ここで、第３のＯＣＴデータは、第１の参照光路１１０ａ及び第１の検出器１１０ａを用いて取得されてもよく、第１の参照光路１１０ａの光路長が調整されることで、第３のＯＣＴデータが取得されてもよい。
【００９５】
ここで、制御部７０は、第３のＯＣＴデータを利用して、第１のＯＣＴデータと第２のＯＣＴデータとの位置関係を設定してもよい。この場合、制御部７０は、例えば、第１のＯＣＴデータ上でのＦＰＮ１の検出位置と、第３のＯＣＴデータ上でのＦＰＮ１の検出位置が、深さ方向に関して同じ位置となるように位置関係を設定してもよく、さらに、制御部７０は、例えば、第２のＯＣＴデータ上でのＦＰＮ２の検出位置と、第３のＯＣＴデータ上でのＦＰＮ２の検出位置が、深さ方向に関して同じ位置となるように位置関係を設定してもよい。これによれば、仮に、ＦＰＮ発生用の光学部材の位置が経年変化によって変動したとしても、実際の位置関係を利用できるので、第１のＯＣＴデータと第２のＯＣＴデータとの位置関係をより安定的に設定可能である。
【００９６】
なお、深さ方向におけるＦＰＮの位置を検出する場合、例えば、制御部７０は、検出器１２０ａ、１２０ｂにて取得されたＯＣＴデータを処理し、ＦＰＮ発生用の光学部材（例えば、第１の光学部材２０４又は第２の光学部材２０６）によるＦＰＮ信号を抽出してもよい。ＦＰＮ信号の信号強度は既知であるから、制御部７０は、例えば、ＯＣＴデータの各輝度信号に対し、ＦＰＮ信号を得るために設定された閾値を超えるか否を判定することによって、ＦＰＮ発生用の光学部材に対応するＦＰＮ信号（基準信号）を抽出できる。なお、ＦＰＮ１とＦＰＮ２は、既知の配置を利用して判別可能である。
【００９７】
なお、上記手法に限定されず、図５の第３のＯＣＴデータを第１のＯＣＴデータとし、図５の第２のＯＣＴデータとして、これらを合成するようにしてもよい（図６参照）。この場合、第１のＯＣＴデータには、ＦＰＮ１とＦＰＮ２が形成され、第２のＯＣＴデータには、ＦＰＮ２が形成される。第１のＯＣＴデータは、第１の参照光路１１０ａ及び第１の検出器１１０ａを用いて取得され、第２のＯＣＴデータは、第２の参照光路１１０ｂ及び第２の検出器１１０ｂを用いて取得されてもよい。
【００９８】
この場合、制御部７０は、ＦＰＮ２の位置を検出し、その検出位置を利用してＯＣＴデータ間の位置関係を設定してもよいし、第１のＯＣＴデータのＦＰＮ２と、第２のＯＣＴデータのＦＰＮ２とを画像処理によってマッチングさせることによって位置関係を設定してもよい。この場合、制御部７０は、合成ＯＣＴデータにおいて、第１のＯＣＴデータのＦＰＮ１と第２のＯＣＴデータのＦＰＮ１とが深さ方向において一致するように合成を行ってもよい。
【００９９】
なお、本実施例において、ＦＰＮ生成光学系２００について、第１の光学部材２０４が配置された第１の光路２０３と、第２の光学部材２０６が配置された第２の光路２０５は、互いに等しい光学的分散量に設定（構築）されている。この結果として、ＦＰＮによるＰＳＦ信号は相似形となるので、例えば光源の質が悪く、ＰＳＦが単峰性でない場合などでも、相応するピーク位置を検出しやすく、離間を容易に決定することが出来る。
【０１００】
図６は、一つのＦＰＮを用いて画像合成を行う一例として考えることも可能である。ＦＰＮ１の生成は必ずしも必須ではない。つまり、本実施例のＦＰＮ光学系２００が、一つのＦＰＮ発生用の光学部材を備える場合であっても、画像合成は可能であり、装置の構成の簡略化が可能だが、複数のＦＰＮ信号を用いる場合と比較して深さ方向の撮像レンジが狭くなると共に、異なるＯＣＴデータ間での重複領域が多くなる。一方、共通領域を設ける場合は、複数のＦＰＮ信号を用いることで、深さ方向の撮像レンジが広くできると共に、異なるＯＣＴデータ間での重複領域を少なくできる。その他、間に不連続な領域を含んでもよい。この場合も、両者の離間が正確にわかるので、例えば眼の調節機能を調べたりする場合に有用である。
【０１０１】
なお、本実施例に係るＦＰＮ生成光学系２００について、ＯＣＴデータの合成に用いるＦＰＮ発生用の光学部材（例えば、第１の光学部材２０４、第２の光学部材２０６）は空気中に配置されており、その表面反射によって生成されたＦＰＮが画像合成に利用されるので、この結果として、ＦＰＮの信号強度（ＳＮＲ）の低下等を軽減できるので、ＦＰＮを用いたＯＣＴデータの合成を正確に行うことができる。
【０１０２】
なお、ＦＰＮ信号を得るタイミングとしては、例えば、電源投入時に実施されてもよいし、被検者が変更される毎に実施されてもよい。また、ＯＣＴ光学系における撮影条件を最適化する最適化制御の際に実施されてもよい。もちろん、これに限定されず、常時実施されてもよい。例えば、制御部は、ＦＰＮ信号を含むＯＣＴデータを予め取得しておき、予め取得されたＦＰＮ信号を用いて、後に取得されたＯＣＴデータの合成、マッピング状態の補正、偏光調整等を行うようにしてもよい。
【０１０３】
＜遮光部材＞
なお、ＦＰＮ生成光学系２００の光路に遮光部材又は減光部材が配置されることによって、被検眼の観察又は撮影に用いるＯＣＴデータのＦＰＮ信号を軽減するようにしてもよい。この場合、第１の光路と第２の光路との少なくともいずれかが遮光又は減光されることで、ＯＣＴデータ上でのＦＰＮ信号を軽減するようにしてもよい。これらは、診断・観察等に用いるＯＣＴデータを得る場合において有効である。また、これに限定されず、ＯＣＴデータに含まれるＦＰＮ信号を信号処理によって除去するようにしてもよい。
【０１０４】
例えば、ＦＰＮ生成光学系２００の光路には、第１の光路を遮光するための第１の遮光部材２１０と、第２の光路を遮光するための第２の遮光部材２１２と、が各光路に対して挿脱可能に配置されてもよい。
【０１０５】
＜波数マッピングの補正＞
図７は、本実施例に係るＯＣＴデータの一例を示す図であり、ＯＣＴデータ上には、第１のＦＰＮ信号と第２のＦＰＮ信号とが同時に形成されている。なお、ＯＣＴデータ上には、被検眼のＯＣＴ画像が含まれていてもよい。
【０１０６】
この場合、制御部７０は、第１のＦＰＮと第２のＦＰＮの両方を同時に含む信号を処理して、各波数成分のマッピング状態を補正するための補正情報を取得しても追い。つまり、制御部７０は、例えば、補正情報を得る演算処理器として用いられてもよい。また、ＯＣＴ光学系を駆動させる制御部とは異なるプロセッサによって、補正情報が取得されてもよい。なお、制御部７０は、例えば、ＯＣＴ画像の撮影中ないし撮影前に、光源１０２により波長が掃引されることに伴う少なくとも２つのＦＰＮ信号の位相差情報を利用して、補正情報を生成してもよい。
【０１０７】
より詳細には、制御部７０は、サンプリングポイントｐに対する各波長成分（波数成分）のマッピング状態（波数サンプリングマッピング）を、ＦＰＮ生成光学系２００によって生成される少なくとも２つのＦＰＮ信号に基づいて補正してもよい。
【０１０８】
制御部７０は、例えば、ＦＰＮの強度レベルを解析することによって、ＦＰＮに対応する位置でのスペクトル信号におけるφ（ｋ）を求めてもよい。φ（ｋ）は、掃引波長（波数）に応じたスペクトル信号の位相φの変化を示す。φ（ｋ）は、横軸：波数ｋ、縦軸：位相φである関数で表されてもよい。信号強度（振幅）の大きい波数ｋ領域でのφ（ｋ）に関して多項式フィッティングを行い、信号強度が小さい波数ｋ領域でのφ（ｋ）を外挿又は内挿によって求めてもよい。例えば、φ（ｋ）は、ＦＰＮに対応する深さ位置におけるフーリエ変換値（強度値）Ｆの実数部RealＦと虚数部ImagＦの比のArc Tangent（逆正接）から求められてもよい。ここで、Arc Tangent処理によってフーリエ変換値の実数部と虚数部の比の逆正接が算出され、φ（ｋ）が得られる。
【０１０９】
少なくとも２つのＦＰＮ信号を同時に得た場合、制御部７０は、第１のＦＰＮを処理して第１の波数マッピング情報φ１（ｋ）を求めると共に、第２のＦＰＮを処理して第２の波数マッピング情報φ２（ｋ）を求めてもよい（図８参照）。この場合、各波数マッピング情報は、各波数成分の位相情報として求められてもよい。
【０１１０】
さらに、制御部７０は、第１の波数マッピング情報φ１（ｋ）と第２の波数マッピング情報φ２（ｋ）との間の差分情報Δφ（ｋ）を求めてもよい（図５参照）。なお、差分情報は、各波数成分の位相差情報として求められてもよい。差分情報Δφ（ｋ）を得る場合、第２のＦＰＮの方が位相の進みが早いので、Δφ（ｋ）＝φ２（ｋ）−φ１（ｋ）にて差分情報が得られてもよい。なお、差分情報を求めることで、各波数マッピング情報に含まれる分散成分をキャンセルできる。この場合、前述したように、第１の光路２０３と第２の光路２０５との間の分散量を等しくしておくことが好ましい。
【０１１１】
ここで、第１のＦＰＮと第２のＦＰＮとの間の光学的距離（光路長差）をΔＺとし、仮に、差分情報Δφ（ｋ）が理想的であれば、以下の式（１）
【０１１２】
【数１】
2018171168.tif 000003
に示されるような直線となるはずである。
【０１１３】
ここでΔＺは次のように求められる。干渉成分はexp（ikz）と一般化でき、ｋとｚにはkz＝２πの関係がある。これから、ｚはＮをサンプリングポイント数、ｋmaxとｋminを各サンプリングポイントで検出されるｋ値の最大・最小値として、以下の式（２）
【０１１４】
【数２】
2018171168.tif 000004
として、表すことができる。なお、ｉ＝０，１，２，・・・，Ｎ／２
ここで、ΔＺに相当する干渉信号が、ｉ（ΔＺ）に対応するサンプリングポイントで検出されるとすると、ΔＺは以下の式（３）
【０１１５】
【数３】
2018171168.tif 000005
と表すことができる。
【０１１６】
Δφ（ｋ）は理想的には傾きΔＺ、切片０の直線になるはずなので、２次、３次の非線形項をσとすると、ｋは以下の式（４）
【０１１７】
【数４】
2018171168.tif 000006
と補正される。これから補正された波長λ´がλ´＝２π／ｋ´と決まる。ここでσは以下の式（５）
【０１１８】
【数５】
2018171168.tif 000007
と展開したときの非線形項σ＝ｂ２ｋ２+ｂ３ｋ３である。なお、上記例では、非線形項が３次となっているが、これに限定されず、さらに多い非線形項であってもよい。例えば、９次程度であってもよい。あるいは、他のフィット方法（チャープされた正弦波によるフィット方法）が用いられてもよい。
【０１１９】
なお、図９は、補正演算を行うことにより、補正されるスペクトル信号のマッピングを模式的に示した図である。また、補正されたΔφ（ｋmin）、Δφ（ｋmax）の値が、理想値であるｚ（peak）・ｋmin、ｚ（peak）・ｋmaxから所定の許容範囲内（例えば、１Ｅ-5程度）であれば収束したと判断し、この条件が満たされなければ、上述の補正されたλ´を用いて再度同様の演算を繰り返す。
【０１２０】
上記のようにして、制御部７０は、ＦＰＮ生成光学系２００を用いて生成される少なくとも２つのＦＰＮ信号から補正情報を演算により求め、得られた補正情報をメモリ７２に記憶させてもよい。これにより、検出器１２０にて検出された各波長成分と、各サンプリングポイントとの対応関係がより正確に求められる。得られた補正情報は、ＯＣＴデータの取得に用いられてもよい。なお、ＦＰＮからφ（ｋ）を求める手法、波数マッピング情報を求める手法については、特開２０１３−１５６２２９号、特開２０１５−６８７７５号公報等を参考になされたい。
【０１２１】
なお、上記説明においては、ＳＳ−ＯＣＴにおいて波数マッピング情報を補正する場合を示したが、これに限定されず、ＳＤ−ＯＣＴにおいて波数マッピング情報を補正する場合においても、本実施例の適用は可能である。この場合、例えば、制御部７０は、スペクトロメータの各受光素子に対する各波長（波数）分のマッピング状態を、ＦＰＮ生成光学系２００によって生成される少なくとも２つのＦＰＮ信号に基づいて補正してもよい。この場合、特開２０１０−２２０７７４号公報が参考されてもよい。
【０１２２】
なお、本実施例に係る波数マッピング補正については、特願２０１７−０１７１５６を参照されたい。
【０１２３】
なお、各波数成分のマッピング状態を補正するための補正情報を取得するタイミングとしては、例えば、電源投入時に実施されてもよいし、被検者が変更される毎に実施されてもよい。また、ＯＣＴ光学系における撮影条件を最適化する最適化制御の際に実施されてもよい。もちろん、これに限定されず、常時実施されてもよい。なお、マッピング状態の補正後、ノイズ除去処理によってＯＣＴ画像上のＦＰＮが除去されてもよい。
【０１２４】
また、上記説明においては、測定光路から分岐した位置にＦＰＮ生成光学系が設けられたが、これに限定されず、ＯＣＴ光学系の光路中であれば、これに限定されない。例えば、ＯＣＴ光学系の参照光路から分岐した位置にＦＰＮ生成光学系が配置されてもよい。この場合、例えば、ＦＰＮ生成光学系からの光と参照光（又は測定光）との干渉によるＦＰＮ信号が得られてもよい。また、例えば、測定光路と参照光路とが合流した後の光路から分岐した位置にＦＰＮ生成光学系が配置されてもよい。この場合、例えば、干渉光の光路に直接向かう干渉光と、干渉光の光路から分岐された位置に設けられたＦＰＮ生成光学系からの干渉光との干渉によるＦＰＮ信号が得られ、検出器１２０によって検出されてもよい。なお、検出器１２０が第１の検出器１２０ａと第２の検出器１２０ｂを備える場合、各検出器の光路に分割される前に、ＦＰＮ生成光学系が配置されることで、各検出器に同様のＦＰＮ信号が検出されてもよい。
【０１２５】
＜被検眼への適用例＞
本装置は、被検眼のＯＣＴデータを取得するための眼科用ＯＣＴ装置であってもよい。例えば、眼科用ＯＣＴ装置としては、眼底のＯＣＴデータと、角膜及び水晶体を含む前眼部のＯＣＴデータと、を取得可能な構成であってもよく、さらに、角膜及び眼底のＯＣＴデータに基づいて眼軸長を測定可能な構成であってもよい。
【０１２６】
例えば、眼科用ＯＣＴ装置は、自動又は手動によるモード切換信号に応じて、ＯＣＴ光学系１００の光学配置を切換可能な構成であってもよい。以下、眼底撮影モード、前眼部撮影モード、眼軸長測定モードとの間でモード切換を行う場合の一例について説明する。
【０１２７】
＜眼底撮影モード＞
眼底撮影モードに設定された場合、制御部７０は、導光光学系１５０を制御し、眼底のＯＣＴデータを得るための光学配置に切り替えてもよい。この場合、例えば、制御部７０は、被検眼瞳孔上に測定光の旋回点が形成されると共に、測定光の集光位置が眼底上に形成されるように、導光光学系１５０の光学配置を切り換えてもよい。なお、導光光学系１５０の光学配置の切換に係る構成については、例えば、特開２０１６−２０９５７７号公報を参照されたい。
【０１２８】
眼底撮影モードに設定された場合、制御部７０は、測定光と参照光の少なくともいずれかの光路長を調整し、ＯＣＴデータの取得領域を眼底に設定してもよい。この場合、例えば、制御部７０は、複数の参照光路の少なくともいずれかを経由した参照光の光路長が、眼底を経由した測定光の光路長と一致するように、測定光と参照光との間の光路長差を調整してもよい。なお、光路長差が調整される場合、ゼロディレイ位置よりも網膜が奥側に形成された状態でＯＣＴデータが取得されるように調整されてもよいし、ゼロディレイ位置よりも脈絡膜が前側に形成された状態でＯＣＴデータが取得されるように調整されてもよい。
【０１２９】
本実施例では、例えば、眼底からの測定光の光路長と、第１の参照光路１１０ａからの参照光とが一致するように、測定光路に配置された光学部材が移動されることによって、測定光の光路長が調整されてもよい。これによって、少なくとも、第１の検出器１１０ａからの出力信号に基づいて得られる第１のＯＣＴデータには、眼底のＯＣＴデータが含まれる。
【０１３０】
図１０は眼底撮影モードにおいて取得されるＯＣＴデータの一例を示す図である。制御部７０は、光学部材１１２を移動させ、第１の参照光路１１０ａと同一の光路長となるように、第２の参照光路１１０ｂの光路長を調整してもよい。この結果、第１の検出器１１０ａに基づく第１のＯＣＴデータと、第２の検出器１１０ｂに基づく第２のＯＣＴデータとが、眼底の同一領域となる。この場合、制御部７０は、第１のＯＣＴデータと第２のＯＣＴデータとに基づく合成ＯＣＴデータ（例えば、加算平均画像、超解像画像、等）を得てもよい。これによって、短時間で、所定の撮像領域に関する良好な眼底のＯＣＴデータが得られる。
【０１３１】
＜眼軸長測定モード＞
眼軸長測定モードに設定された場合、制御部７０は、導光光学系１５０を制御し、前述の眼底撮影モードと同一の光学配置に切り替えてもよい。この場合、例えば、制御部７０は、瞳孔上に測定光の旋回点が形成される共に、測定光の集光位置が眼底上に形成されるように、導光光学系１５０の光学配置を切り換えられてもよい。これによって、眼軸長測定の際に得られるＯＣＴデータにおいて、眼底の形態情報（例えば、黄斑付近の情報）を詳細に取得でき、結果として、被検眼の眼軸長を精度よく測定可能となる。
【０１３２】
眼軸長測定モードに設定された場合、制御部７０は、測定光と参照光の少なくともいずれかの光路長を調整し、第１の検出器１２０ａと第２の検出器１２０ｂの一方によるＯＣＴデータの取得領域を眼底に設定し、第１の検出器１２０ａと第２の検出器１２０ｂの他方によるＯＣＴデータの取得領域を角膜に設定してもよい。
【０１３３】
図１１は眼軸長撮影モードにおいて取得されるＯＣＴデータの一例を示す図である。本実施例では、例えば、眼底からの測定光の光路長と、第１の参照光路１１０ａからの参照光とが一致するように、測定光路に配置された光学部材が移動されることによって、測定光の光路長が調整されてもよい。これによって、少なくとも、第１の検出器１１０ａからの出力信号に基づいて得られる第１のＯＣＴデータには、眼底のＯＣＴデータが含まれる。
【０１３４】
第１のＯＣＴデータに眼底のＯＣＴデータが含まれるように、測定光路に配置された光学部材の位置が調整された状態において、例えば、制御部７０は、角膜からの測定光の光路長と、第２の参照光路１１０ｂからの参照光とが一致するように、第２の参照光路１１０ｂに配置された光学部材１１２が移動されることによって、第２の参照光路１１０ｂの参照光の光路長が調整されてもよい。これによって、第２の検出器１１０ｂからの出力信号に基づいて得られる第２のＯＣＴデータには、角膜のＯＣＴデータが含まれる。
【０１３５】
眼底のＯＣＴデータと角膜のＯＣＴデータが取得されると、制御部７０は、眼底のＯＣＴデータに基づいて網膜位置を検出すると共に、角膜のＯＣＴデータに基づいて角膜位置を検出してもよい。制御部７０は、網膜位置の検出結果と、角膜位置の検出結果と、第１の参照光路１１０ａと第２の参照光路１１０ｂとの光路長差を利用して眼軸長を測定してもよい。
【０１３６】
この場合、例えば、第１の参照光路１１０ａと第２の参照光路１１０ｂとの光路長差は、光学部材１１２を移動させるための駆動部の駆動位置によって求められてもよいし、光学部材１１２の位置に基づいて検出されてもよい。なお、第１の参照光路１１０ａと第２の参照光路１１０ｂとの光路長差が固定の場合、既知の光路長差が用いられてもよい。また、これに限定されず、ＦＰＮ生成光学系２００において、角膜に対応するＦＰＮ信号を生成するためのＦＰＮ発生用光学部材と眼底に対応するＦＰＮ信号を生成するＦＰＮ発生用光学部材を備える構成とし、既知の光学部材の位置を利用して、光路長差を取得してもよい。この場合、光路長差に対応すべく、３つ以上のＦＰＮ発生用光学部材が用いられてもよい。
【０１３７】
＜前眼部撮影モード＞
前眼部撮影モードに設定された場合、制御部７０は、導光光学系１５０を制御し、角膜及び水晶体を含む前眼部のＯＣＴデータを得るための光学配置に切り替えてもよい。この場合、被検眼瞳孔よりも装置側に測定光の旋回点が形成されると共に、測定光の集光位置が前眼部上に形成されるように、導光光学系１５０の光学配置を切り換えてもよい。なお、導光光学系１５０の光学配置の切換に係る構成については、例えば、特開２０１６−２０９５７７号公報を参照されたい。
【０１３８】
前眼部撮影モードに設定された場合、制御部７０は、制御部７０は、測定光と参照光の少なくともいずれかの光路長を調整し、第１の検出器１２０ａと第２の検出器１２０ｂの一方によるＯＣＴデータの取得領域を水晶体に設定し、第１の検出器１２０ａと第２の検出器１２０ｂの他方によるＯＣＴデータの取得領域を角膜に設定してもよい。ここで、第１の検出器１２０ａによって取得されるＯＣＴデータと、第２の検出器１２０ｂによって取得されるＯＣＴデータとは、被検眼上の取得領域の少なくとも一部が深さ方向に関して異なる。これによって、角膜領域を含むＯＣＴデータと、水晶体領域を含むＯＣＴデータが取得されてもよい。この場合、角膜領域を含むＯＣＴデータに、角膜及び水晶体前面が少なくとも含まれ、水晶体領域を含むＯＣＴデータに、水晶体後面が少なくとも含まれてもよい。つまり、前眼部領域における前側領域のＯＣＴデータと、前眼部領域における後側領域のＯＣＴデータとが、それぞれ別々に取得されてもよい。
【０１３９】
なお、制御部７０は、例えば、水晶体領域を含むＯＣＴデータと、角膜領域を含むＯＣＴデータとを合成してもよい。この場合、前述のＦＰＮ信号を用いた合成処理が用いられてもよく、角膜及び水晶体からの測定光の光路長と、ＦＰＮ生成光学系２００を経由した測定光の光路長が一致するように、ＦＰＮ生成光学系２００の光路長が設定されてもよい。いいかえれば、角膜領域を含むＯＣＴデータと水晶体領域を含むＯＣＴデータとを取得できるように導光光学系１５０の測定光と参照光との光路長差が設定された状態において、各ＯＣＴデータにＦＰＮ信号が含まれるように、ＦＰＮ生成光学系２００が設定されてもよい。
【０１４０】
なお、光路長差が調整される場合、ゼロディレイ位置よりも角膜前面が奥側に形成された状態で角膜領域を含むＯＣＴデータが取得されるように調整され、ゼロディレイ位置よりも水晶体後面が前側に形成された状態で水晶体領域を含むＯＣＴデータが取得されるように調整されてもよい。これにより、画像合成時のミラーイメージによる影響を回避できる。また、第１のＯＣＴデータと第２のＯＣＴデータとの間において、深さ方向において被検眼上の取得領域の一部が重複するように、第１の参照光路１１０ａと第２の参照光路１１０ｂの光路長差が設定されてもよい。これによって、画像合成における連結をスムーズに行うことができる。
【０１４１】
図１２は前眼部撮影モードにおいて取得されるＯＣＴデータの一例を示す図である。本実施例では、例えば、水晶体からの測定光の光路長と、第１の参照光路１１０ａからの参照光とが一致するように、測定光路に配置された光学部材が移動されることによって、測定光の光路長が調整されてもよい。これによって、少なくとも、第１の検出器１１０ａからの出力信号に基づいて得られる第１のＯＣＴデータには、水晶体領域のＯＣＴデータが含まれる。
【０１４２】
第１のＯＣＴデータに水晶体のＯＣＴデータが含まれるように、測定光路に配置された光学部材の位置が調整された状態において、例えば、制御部７０は、角膜からの測定光の光路長と、第２の参照光路１１０ｂからの参照光とが一致するように、第２の参照光路１１０ｂに配置された光学部材１１２が移動されることによって、第２の参照光路１１０ｂの参照光の光路長が調整されてもよい。これによって、第２の検出器１１０ｂからの出力信号に基づいて得られる第２のＯＣＴデータには、角膜のＯＣＴデータが含まれる。
【０１４３】
水晶体のＯＣＴデータと角膜のＯＣＴデータが取得されると、例えば、制御部７０は、水晶体のＯＣＴデータと角膜のＯＣＴデータを合成し、合成ＯＣＴデータを取得してもよい。さらに、制御部７０は、合成ＯＣＴデータに基づいて角膜位置、水晶体位置等を検出し、被検眼の前房深度、水晶体厚等を測定してもよい。
【０１４４】
＜他のＯＣＴデータに含まれるＦＰＮ信号を用いたＯＣＴデータの補正＞
制御部７０は、第１のＯＣＴデータと第２のＯＣＴデータの一方にてＦＰＮ信号を含むＯＣＴデータを取得し、第１のＯＣＴデータと第２のＯＣＴデータの他方においてＦＰＮ信号を含まないＯＣＴデータを取得してもよい。また、制御部７０は、ＦＰＮ信号を含むＯＣＴデータにおけるＦＰＮ信号に基づいて波数マッピング情報を得て、ＦＰＮ信号を含まないＯＣＴデータを補正するようにしてもよい。当該構成によれば、複数の検出器を用いる場合において、各検出器に応じてＦＰＮ生成光学系を設ける必要が必ずしもなくなる。この場合、制御部７０は、ＦＰＮ信号を含まないＯＣＴデータをリアルタイムで補正するようにしてもよく、これによれば、ＯＣＴデータの補正をさらに精度よく補正できる。
【０１４５】
この場合、例えば、制御部７０は、測定光と参照光の少なくともいずれかの光路長を調整し、第１の検出器１２０ａと第２の検出器１２０ｂの一方によるＯＣＴデータの取得領域を所定の撮影部位（例えば、眼底、角膜、水晶体）に設定してもよい。また、制御部７０は、第１の検出器１２０ａと第２の検出器１２０ｂの他方によるＯＣＴデータの取得領域をＦＰＮ生成光学系２００の光学部材（例えば、光学部材２０４、光学部材２０６）に設定する。
【０１４６】
図１３は眼底撮影モードにおいてリアルタイム補正を適用する場合の一例を示す図である。例えば、制御部７０は、測定光と参照光の少なくともいずれかの光路長を調整し、第１の検出器１２０ａと第２の検出器１２０ｂの一方によるＯＣＴデータの取得領域を眼底に設定する（上記眼底撮影モード参照）。
【０１４７】
また、制御部７０は、第１の検出器１２０ａと第２の検出器１２０ｂの他方によるＯＣＴデータの取得領域をＦＰＮ生成光学系２００の光学部材（例えば、光学部材２０４、光学部材２０６）に設定する。この場合、ＦＰＮ生成光学系２００の光路長は、眼底を経由して検出器１２０ａに達した測定光の光路長とは異なる長さに設定される。例えば、制御部７０は、複数の参照光路の少なくともいずれかを経由した参照光の光路長が、ＦＰＮ生成光学系２００を経由した測定光の光路長と一致するように、測定光と参照光との間の光路長差を調整してもよい。
【０１４８】
本実施例では、例えば、眼底からの測定光の光路長と、第１の参照光路１１０ａからの参照光とが一致するように、測定光路に配置された光学部材が移動されることによって、測定光の光路長が調整されてもよい。これによって、少なくとも、第１の検出器１１０ａからの出力信号に基づいて得られる第１のＯＣＴデータには、眼底のＯＣＴデータが含まれる。
【０１４９】
また、制御部７０は、第１のＯＣＴデータに眼底のＯＣＴデータが含まれるように、測定光路に配置された光学部材の位置が調整された状態において、例えば、制御部７０は、ＦＰＮ生成光学系２００の光学部材からの測定光の光路長と、第２の参照光路１１０ｂからの参照光とが一致するように、第２の参照光路１１０ｂに配置された光学部材１１２が移動されることによって、第２の参照光路１１０ｂの参照光の光路長が調整されてもよい。これによって、第２の検出器１１０ｂからの出力信号に基づいて得られる第２のＯＣＴデータには、ＦＰＮ信号を含むＯＣＴデータが含まれる。この場合、結果として、ＦＰＮ信号に加えて、角膜、水晶体等の信号が含まれてもよい。
【０１５０】
なお、上記説明においては、眼底撮影モードでの適用例を示したが、これに限定されず、他の撮影モードにおいて、上記構成が適用されてもよい。
【０１５１】
なお、上記説明において、第１のＯＣＴデータと第２のＯＣＴデータの一方にてＦＰＮ信号（例えば、ＦＰＮ信号のみ）を含むＯＣＴデータを取得し、第１のＯＣＴデータと第２のＯＣＴデータの他方にてＦＰＮ信号を含まない被検眼のＯＣＴデータを取得するような場合、上記のような光路長調整に限定されず、遮光部材が用いられてもよい。例えば、制御部７０は、遮光部材２１０を第１の光路中に配置することによって、ＦＰＮ（例えば、ＦＰＮ１）を含まない第１のＯＣＴデータを得てもよい。この場合、第２の光路中から遮光部材２１２が外されているので、ＦＰＮ（例えば、ＦＰＮ２）を含む第２のＯＣＴデータが得られる。なお、ＦＰＮ信号のみが得られる場合、ＦＰＮ信号を用いた補正を精度よく行うことができる。
【０１５２】
＜偏光調整＞
制御部７０は、偏光調整部（例えば、第１の偏光調整部３００、第２の偏光調整部３０２、第３の偏光調整部３０４）を制御し、ＯＣＴデータを得る際の偏光状態を調整するようにしてもよい。なお、偏光状態を調整するタイミングとしては、例えば、電源投入時に実施されてもよいし、被検者が変更される毎に実施されてもよい。また、ＯＣＴ光学系における撮影条件を最適化する最適化制御の際に実施されてもよい。
【０１５３】
以下、前眼部撮影モードにおける偏光状態の調整を例として説明する。図１４は、前眼部撮影モードにおいて偏光調整を行う場合のＯＣＴデータの一例を示す図である。まず、制御部７０は、第２の偏光調整部３０２を制御し、第２のＯＣＴデータにおける角膜像の信号強度が最大となるように偏光状態を調整する。これによって、第２のＯＣＴデータにおける角膜像が良好な信号強度で取得される。
【０１５４】
図１５はＦＰＮの信号強度の一例を示す図である。次に、制御部７０は、第３の偏光調整部３０４を制御し、第２のＯＣＴデータにおけるＦＰＮ信号の信号強度が最大となるように偏光状態を調整する。これによって、第２のＯＣＴデータにおけるＦＰＮ信号が良好な信号強度で取得される。この結果、第２のＯＣＴデータにおける角膜像とＦＰＮ信号とが良好な信号強度で取得される。
【０１５５】
次に、制御部７０は、第１の偏光調整部３００を制御し、第２のＯＣＴデータにおけるＦＰＮ信号と第１のＯＣＴデータにおけるＦＰＮ信号との間の信号強度比が、所定の信号強度比（例えば、互いの信号強度比が等しい状態）となるように偏光状態を調整する。これによって、第１のＯＣＴデータにおけるＦＰＮ信号が良好な信号強度で取得されると共に、第１のＯＣＴデータにおける水晶体像が良好な信号強度で取得される。
【０１５６】
上記のような制御によれば、第１のＯＣＴデータと第２のＯＣＴデータとの間での信号強度のバランスを調整できる。さらに、水晶体を含むＯＣＴデータに関する偏光状態の調整において、第２のＯＣＴデータにおけるＦＰＮ信号と第１のＯＣＴデータにおけるＦＰＮ信号との間の信号強度比を用いることで、水晶体像を用いて偏光状態を調整するよりも、精度よく偏光状態が調整される。つまり、この場合の水晶体像は、水晶体後面の情報のみに限定される可能性があり、画像としての情報量が比較的少ないため、信号評価値としての精度が低くなる可能性がある。その結果、良好な偏光状態に調整できない場合がある。これに対し、ＦＰＮ信号が用いられることで、安定的な信号強度を確保できるので、信号評価値としての精度を確保でき、偏光状態を良好に調整できる。
【０１５７】
加えて、水晶体後面の情報のみに最適化された偏光状態である場合、第１のＯＣＴデータと第２のＯＣＴデータとの間で検出している偏光のミスマッチが生じ、これにより両者の接続領域で強度信号のギャップが生じてしまう。これは例えば、水晶体がギャップ位置にある場合などに顕著である。すなわち水晶体の（一般には弱い）強度信号が不連続になるということであり、混濁具合などを定量評価しようとした場合に致命的となりうる。一方、本実施例により第１のＯＣＴデータと第２のＯＣＴデータとの間で検出している偏光のミスマッチが解消されていれば、このようなギャップは生じない。
【０１５８】
また、上記説明において、ＦＰＮ生成光学系の偏光状態が調整されることで、ＦＰＮ信号を精度よく検出できるので、ＦＰＮ信号を用いた各種処理を適正に行うことができる。
【０１５９】
なお、上記説明においては、ＦＰＮ信号を用いて水晶体を含むＯＣＴデータに関する偏光状態を調整したが、これに限定されず、ＯＣＴデータにおける水晶体像全体の信号強度を用いて偏光状態を調整してもよい。
【０１６０】
なお、上記説明においては、第１の検出器１２０ａと第２の検出器１２０ｂを用いる場合に、第１の検出器１２０ａによって得られるＯＣＴデータと、第２の検出器１２０ｂによって得られるＯＣＴデータのそれぞれに関して、偏光状態を調整することで、各ＯＣＴデータを良好な信号強度にて取得できる。もちろん、これに限定されず、一方のＯＣＴデータに関してのみ、偏光状態が調整されてもよい。
【０１６１】
また、第１の検出器１２０ａと第２の検出器１２０ｂのいずれか一方を用いる場合には、例えば、使用される検出器によって得られるＯＣＴデータに関して、偏光状態が調整されてもよい。
【０１６２】
＜広角眼底撮影モード＞
上記眼底撮影モードは、眼底中心部と眼底周辺部を含む広角領域でのＯＣＴデータを得るための広角眼底撮影モードであってもよい。また、上記のような通常の眼底撮影モードと、広角眼底撮影モードとが切換可能であってもよい。また、広角眼底撮影モードにおいては、光スキャナ１５６による眼底上での測定光の走査範囲が、眼底の中心部と周辺部を含む広角領域に設定されてもよい。この場合、広角撮影用のレンズアタッチメントが用いられてもよい。
【０１６３】
図１６は広角眼底撮影モードにおいて取得されるＯＣＴデータの一例を示す図である。広角眼底撮影モードに設定された場合、制御部７０は、測定光と参照光の少なくともいずれかの光路長を調整し、第１の検出器１２０ａと第２の検出器１２０ｂによるＯＣＴデータの取得領域を、眼底中心部と眼底周辺部とを含む広角領域に設定してもよい。例えば、制御部７０は、第１の検出器１２０ａによるＯＣＴデータの取得領域を、眼底中心部に設定し、第２の検出器１２０ｂによるＯＣＴデータの取得領域を、眼底周辺部に設定してもよい。本実施例では、第１の検出器１２０ａによって第１のＯＣＴデータが取得され、第２の検出器１２０ｂによって第２のＯＣＴデータが取得されてもよい。
【０１６４】
ここで、眼は、眼球中心を中心として球状となっており、眼底は、眼底中心部を底部とする凹形状となっているところ、測定光は、瞳孔中心付近を中心に旋回され眼底を走査される。この場合、走査中心から眼底中心部までの光路長よりも、走査中心から眼底周辺部までの光路長の方が短くなる。通常、ＯＣＴデータを得る際の深度方向の撮像可能範囲は、ゼロディレイ位置から所定距離であり、眼底を広角に走査した場合、深度方向に関して撮像可能範囲から外れてしまう可能性がある。
【０１６５】
そこで、例えば、眼底中心部と眼底周辺部との間の光路長差を考慮して第１の参照光路１１０ａと第２の参照光路１１０ｂとの間の光路長差が設定されると共に、被検眼眼底に対して測定光と参照光の光路長差が調整されることで、眼底中心部のＯＣＴデータを含む第１のＯＣＴデータと、眼底周辺部のＯＣＴデータを含む第２のＯＣＴデータと、が取得可能となる。この場合、例えば、第１の参照光路１１０ａの光路長が、眼底中心部からの測定光の光路長に合わせて設定され、第２の参照光路１１０ｂの光路長が、眼底周辺部からの測定光の光路長に合わせて設定されてもよい。この場合、眼球形状を考慮し、眼底周辺部に対応する参照光路１１０ｂの方が、眼底中心部に対応する参照光路１１０ａよりも光路長が短く設定されてもよい。もちろん、場合によっては、眼底周辺部に対応する参照光路１１０ｂの方が、眼底中心部に対応する参照光路１１０ａよりも光路長が長く設定されてもよい。
【０１６６】
例えば、第２のＯＣＴデータに含まれる眼底周辺部のＯＣＴデータは、第１のＯＣＴデータに含まれる眼底中心部のＯＣＴデータが端部にて横断方向及び深度方向の少なくともいずれかに関して連続するＯＣＴデータであってもよい。この場合、例えば、互いのＯＣＴデータの一部が、横断方向及び深度方向の少なくともいずれかに関して重複し、かつ、端部にて連続するＯＣＴデータであってもよい。なお、広角領域でのＯＣＴデータを得る際の第１の参照光路１１０ａと第２の参照光路１１０ｂとの間の光路長差は、固定であってもよいし、可変であってもよい。
【０１６７】
例えば、第１のＯＣＴデータは、少なくとも眼底の黄斑部及び乳頭部を含む第１の眼底領域でのＯＣＴデータを含み、第２のＯＣＴデータは、第１の眼底領域の両端部よりも外側の領域をそれぞれ含んでもよい。また、これに限定されず、第１のＯＣＴデータは、少なくとも眼底の黄斑部を含む第１の眼底領域でのＯＣＴデータを含み、第２のＯＣＴデータは、第１の眼底領域の両端部よりも外側の領域をそれぞれ含んでもよい。
【０１６８】
例えば、第１のＯＣＴデータと第２のＯＣＴデータは、深度方向における被検眼上のデータ取得領域が異なってもよく、この場合、第１のＯＣＴデータと第２のＯＣＴデータとの間において、深度方向において被検眼上の取得領域の一部が重複するように、第１の参照光路１１０ａと第２の参照光路１１０ｂの光路長差が設定されてもよい。これによって、第１のＯＣＴデータと第２のＯＣＴデータとを合成する際の連結処理をスムーズに行うことができる。
【０１６９】
図１７は広角眼底撮影モードにおいて取得されたＯＣＴデータを合成した場合の一例を示す図である。制御部７０は、例えば、第１のＯＣＴデータと第２のＯＣＴデータとを合成することによって、第１のＯＣＴデータと第２のＯＣＴデータに基づく広角ＯＣＴデータを取得してもよい。この場合、第１のＯＣＴデータと第２のＯＣＴデータとが深度方向に関して連続するように合成されてもよい。
【０１７０】
この場合、制御部７０は、前述のＦＰＮ信号を用いた合成処理を行ってもよく、眼底の中心部及び周辺部からの測定光の光路長と、ＦＰＮ生成光学系２００を経由した測定光の光路長が一致するように、ＦＰＮ生成光学系２００の光路長が設定されてもよい。
【０１７１】
眼底中心部のＯＣＴデータを含む第１のＯＣＴデータと、眼底周辺部のＯＣＴデータを含む第２のＯＣＴデータとを取得できるように、測定光と参照光との光路長差が設定された状態において、各ＯＣＴデータにＦＰＮ信号が含まれるように、ＦＰＮ生成光学系２００が設定されてもよい。
【０１７２】
なお、合成処理としては、ＦＰＮを用いた処理に限定されず、例えば、制御部７０は、第１のＯＣＴデータと第２のＯＣＴデータとの間の重複領域を用いたマッチング処理によって、第１のＯＣＴデータと第２のＯＣＴデータの位置関係を規定してデータ合成を行ってもよい。また、制御部７０は、第１の参照光路１１０ａと第２の参照光路１１０ｂとの間の光路長差を利用して第１のＯＣＴデータと第２のＯＣＴデータの位置関係を規定してデータ合成を行ってもよい。その際、重複領域がある場合は、感度が高い側の信号を採用しても良いし、ノイズ・アーチファクトが少ない側を採用しても良い。また接続部で急激な変化が生じないように、接続部で各種スムーズ化等の処理がなされても良い。
【０１７３】
＜１回のＢスキャンでの広角撮影＞
制御部７０は、光スキャナ１５６を制御し、１回のＢスキャンによって、眼底の中心部と周辺部を含む広角領域に測定光を走査して第１のＢスキャンＯＣＴデータと第２のＢスキャンＯＣＴデータを取得するようにしてもよい（図１６参照）。
【０１７４】
例えば、水平方向に関して始点Ａから終点Ｄとする１回のＢスキャンが行われる場合、始点Ａから点Ｂ付近の眼底領域が走査されると、第２の検出器１２０ｂからの出力信号に基づいて、眼底周辺部（左側）からの反射光と参照光とによるＯＣＴデータが取得される。また、第１の検出器１２０ａからの出力信号に基づいて、眼底周辺部（左側）に近い眼底中心部からの反射光と参照光とによるＯＣＴデータが取得される。
【０１７５】
次に、点Ｂ付近から点Ｃ付近までの眼底領域が走査されると、第１の検出器１２０ａからの出力信号に基づいて、中心部からの反射光と参照光とによるＯＣＴデータが取得される。さらに、点Ｃ付近から終点Ｄまでの眼底領域が走査されると、第２の検出器１２０ｂからの出力信号に基づいて、周辺部（右側）からの反射光と参照光とによるＯＣＴデータが取得される。また、第１の検出器１２０ａからの出力信号に基づいて、眼底周辺部（右側）に近い眼底中心部からの反射光と参照光とによるＯＣＴデータが取得される。
【０１７６】
上記制御によれば、広角領域でのＢスキャンＯＣＴデータをスムーズに取得できる。この場合、取得された第１のＯＣＴデータと第２のＯＣＴデータを合成することによって、広角ＢスキャンＯＣＴデータが取得されてもよい。
【０１７７】
また、眼底上の複数の広角領域に関してＢスキャンをそれぞれ行うようにしてもよい（例えば、クロススキャン、マルチラインスキャン、ラジアルスキャン等）。なお、これに限定されず、眼底中心部と眼底周辺部を含む広角領域を複数回に分けてＢスキャンを行い、第１のＢスキャンＯＣＴデータと第２のＢスキャンＯＣＴデータを取得するようにしてもよい。
【０１７８】
また、制御部７０は、１回のラスタースキャンによって、各走査ラインにて眼底中心部と眼底周辺部を含む広角領域に測定光を走査して第１の３次元ＯＣＴデータと第２の３次元ＯＣＴデータを取得するようにしてもよい。この場合、ラスタースキャンを構成する複数の走査ラインに関してそれぞれ測定光が走査される。各走査ラインは、それぞれ広角領域に対応する走査範囲を有してもよい。これによって、広角領域での３次元ＯＣＴデータをスムーズに取得できる。この場合、例えば、制御部７０は、ラスタースキャンを構成する各走査ラインに関して複数回測定光を走査し、各走査ラインでの時間的に異なる複数のＯＣＴデータに基づいて広角での３次元モーションコントラストＯＣＴデータ（ＯＣＴアンジオデータ）を取得してもよい。
【０１７９】
なお、１回のＢスキャンにおける走査範囲は、図１６に示された正面画像に対する走査範囲に限定されるものではなく、さらに広角の眼底領域を走査する場合においても、本実施例の適用が可能であることはいうまでもない。この場合、２つの参照光路が用いられてもよいし、３つ以上の参照光路が用いられてもよい。
【０１８０】
＜光路長調整＞
以下、広角眼底撮影モードにおける光路長調整の一例を以下に示す。本実施例では、例えば、眼底中心部からの測定光の光路長と第１の参照光路１１０ａからの参照光の光路長とが略一致するように、測定光路に配置された光学部材が配置されることによって、測定光の光路長が調整されてもよい。これによって、少なくとも、第１の検出器１１０ａからの出力信号に基づいて得られる第１のＯＣＴデータには、眼底中心部を含むＯＣＴデータが含まれる。
【０１８１】
眼底中心部のＯＣＴデータが取得されるように、測定光路に配置された光学部材の位置が調整された状態において、例えば、制御部７０は、眼底周辺部からの測定光の光路長と第２の参照光路１１０ｂからの参照光の光路長とが略一致するように、第２の参照光路１１０ｂに配置された光学部材１１２が配置されることによって、第２の参照光路１１０ｂの参照光の光路長が調整されてもよい。これによって、第２の検出器１１０ｂからの出力信号に基づいて得られる第２のＯＣＴデータには、眼底周辺部のＯＣＴデータが含まれる。なお、上記において、測定光の光路長が調整される代わりに、第１の参照光路１１０ａの参照光の光路長が調整されてもよい。
【０１８２】
＜光路長設定に関する第１実施例＞
第１の参照光路１１０ａは、ゼロディレイ位置よりも眼底中心部の脈絡膜が前側に形成された状態で第１のＯＣＴデータが取得されるように光路長が設定されてもよい（図１６参照）。これによれば、例えば、眼底中心部でのＯＣＴデータにおいて感度減衰に伴う脈絡膜像の劣化が軽減されると共に、第１のＯＣＴデータにおいてミラーイメージ（虚像）と実像とが混在するのを軽減できる。
【０１８３】
また、第２の参照光路１１０ｂは、ゼロディレイ位置よりも眼底周辺部の網膜が奥側に形成された状態で第２のＯＣＴデータが取得されるように光路長が設定されてもよい（図１６参照）。これによれば、例えば、眼底周辺部での光量低下に伴う画像の劣化が軽減されると共に、第２のＯＣＴデータにおいてミラーイメージ（虚像）と実像とが混在するのを軽減できる。
【０１８４】
なお、広角領域でＯＣＴデータを得る場合、周辺に向かうほど光量が低下するという傾向が顕著に表れる。これは、対物光学系の特性上、瞳孔中心が眼底曲率と必ずしも一致しておらず、中心から外れるほど照射する光の方向と、反射・散乱され検出される光の方向とに乖離が生じてしまうためである。例えば、眼底周辺部において最も中心から離れた位置での戻り光量が最も低くなる。このことは、眼底ＯＣＴ像において、表面に垂直に光が照射され検出系の方向と一致している中心近傍では表面反射による飽和部が生じるのに対し、周辺部ではこの現象が見られないことからも明らかである。この結果、眼底周辺部での信号強度は、眼底中心部に比べて低下する傾向にある。更に一般に投光系の光学性能は軸外になるほど収差が発生し低下することが知られており、その影響も鑑みれば最周辺での戻り光量低下は不可避と言うことが出来る。そしてその影響は線形でなく、少なくとも半画角の2乗で寄与するため、系を広角化するに伴い、顕著に現れる。
【０１８５】
そこで、周辺に向かうほど戻り光量が低下するという傾向と、ゼロディレイ位置に近いほど感度が増大するという深さ方向での感度特性とを考慮し、ゼロディレイ位置よりも眼底周辺部の網膜が奥側に形成された状態で第２のＯＣＴデータが取得されるように光路長が設定されることによって、周辺に向かうほど感度を高くすることができるので、眼底周辺部での光量低下の影響を軽減できる。
【０１８６】
なお、第１のＯＣＴデータに関し、眼底中心部での脈絡膜がゼロディレイ位置よりも前側に形成された状態で取得され、第２のＯＣＴデータに関し、眼底周辺部での網膜がゼロディレイ位置よりも奥側に形成されることによって、第１のＯＣＴデータ及び第２のＯＣＴデータの両方においてミラーイメージと実像との混在を軽減できると共に、広角領域でのＯＣＴデータ全体を良好な信号強度で得ることができる。
【０１８７】
＜光路長設定に関する第２実施例＞
なお、上記説明においては、ミラーイメージと実像との混在を軽減するための手法を例示したが、これに、限定されない。図１８は広角眼底撮影モードにおいて取得されるＯＣＴデータの他の例を示す図である。例えば、第２のＯＣＴデータを取得する際、ゼロディレイ位置よりも眼底周辺部での脈絡膜が前側に形成され、かつ、ゼロディレイ位置よりも眼底中心部での網膜が奥側に形成されるように光路長が設定されてもよい。この場合、眼底中心部が走査されたときのミラーイメージと眼底周辺部が走査されたときの実像との混在が発生するが、眼底は、比較的に厚みが少ない面状の組織であるので、重複する範囲は小さく、適切に使用領域を切り出すことで眼底診断において使用可能である場合もあり得る。
【０１８８】
図１９は、図１８にて例示されたＯＣＴデータを合成した場合の一例を示す図である。例えば、第１のＯＣＴデータと第２のＯＣＴデータを合成する際、第２のＯＣＴデータにおける周辺部分のデータと、第１のＯＣＴデータにおける中心部分のデータを合成することによって、ミラーイメージの影響を軽減できる。
【０１８９】
上記のように第２のＯＣＴデータを取得するのに加えて、例えば、第１のＯＣＴデータを取得する際、ゼロディレイ位置よりも眼底中心部での脈絡膜が前側に形成されるように光路長が設定されてもよい。これによって、各ＯＣＴデータにおいて脈絡膜側が高い感度となるので、脈絡膜における組織変化を広角領域においてより容易に判別できる。
【０１９０】
＜光路長設定に関する第３実施例＞
例えば、第１のＯＣＴデータを取得する際、ゼロディレイ位置よりも眼底中心部での網膜が奥側に形成されるように光路長が設定され、かつ、ゼロディレイ位置よりも眼底周辺部での脈絡膜が前側に形成されるように光路長が設定されてもよい。この場合、眼底周辺部が走査されたときのミラーイメージと眼底中心部が走査されたときの実像との混在が発生するが、眼底は、比較的に厚みが少ない面状の組織であるので、重複する範囲は小さく、眼底診断において使用可能である場合もあり得る。
【０１９１】
また、例えば、第１のＯＣＴデータと第２のＯＣＴデータを合成する際、第２のＯＣＴデータにおける周辺部分のデータと、第１のＯＣＴデータにおける中心部分のデータを合成することによって、ミラーイメージの影響を軽減できる。
【０１９２】
上記のように第１のＯＣＴデータを取得するのに加えて、例えば、第２のＯＣＴデータを取得する際、ゼロディレイ位置よりも眼底周辺部での網膜が奥側に形成されるように光路長が設定されてもよい。これによって、各ＯＣＴデータにおいて網膜側が高い感度となるので、網膜における組織変化を広角領域においてより容易に判別できる。
【０１９３】
＜広角撮影での複数の検出器利用＞
図２０は、複数の参照光路及び複数の検出器を用いて眼底中心部と眼底周辺部のＯＣＴデータを得た場合の一例を示す図である。図２１、図２２は、一つの参照光路及び一つの検出器を用いて眼底中心部と眼底周辺部のＯＣＴデータを得た場合の一例を示す図である。なお、図２０〜図２２におけるΔＷは、ゼロディレイ位置での感度に対して所定量感度を保って撮影可能な領域を示す。
【０１９４】
本実施例において、眼底中心部のＯＣＴデータを得るための参照光路及び検出器と、眼底周辺部でのＯＣＴデータを得るための参照光路及び検出器とを、それぞれ設けることによって、眼底中心部と眼底周辺部のＯＣＴデータを良好な信号強度で同時に得ることができる（図２０参照）
この場合、第１の検出器１２０ａと第２の検出器１２０ｂの一方にて第１のＯＣＴデータが取得され、第１の検出器１２０ａと第２の検出器１２０ｂの他方にて第２のＯＣＴデータが取得されてもよい。
【０１９５】
なお、一つの参照光路及び一つの検出器のみで眼底中心部と眼底周辺部のＯＣＴデータを同時に取得しようとする場合、第１の構成として、ゼロディレイ位置よりも前側に眼底中心部が配置される（図２１参照）、又は、第２の構成として、ゼロディレイ位置よりも奥側に眼底周辺部が配置される場合があり得る（図２２参照）。この場合、ゼロディレイ位置から離れるほど感度が減衰するという深さ方向での感度減衰特性と、周辺に向かうほど光量が低下するという光量低下特性の影響を受ける。
【０１９６】
第１の構成の場合、中心付近の網膜及び脈絡膜は比較的コントラストよく見えるが、眼底周辺部の画質は、感度減衰特性と光量低下特性による２重の影響によって大きく低下してしまう。従って、広角に撮影したとしても広角領域で感度が十分でなく、広角化による診断能の向上は限定的と言わざるを得ない。一方、第２の構成の場合、周辺付近の網膜及び脈絡膜は比較的コントラストよく見えるが、眼底疾患において重要な黄斑部及び乳頭部での画質が大きく低下してしまう（図２１参照）。近年、眼疾患による構造変化は網膜よりも先に脈絡膜近傍に現れるという研究が知られており、第２の構成の場合、広角とすることで却って脈絡膜側の診断能を下げることにも繋がる。
【０１９７】
なお、上記構成においては、眼底中心部と眼底周辺部とでそれぞれ検出器を設けるものとしたが、眼底中心部と眼底周辺部で検出器を兼用してもよく、この場合、例えば、複数の参照光路を光スイッチ等により選択的に切換える構成であってもよい。このような構成であっても、眼底中心部と眼底周辺部のＯＣＴデータを良好な信号強度で得ることができる。
【０１９８】
＜前眼部撮影モードとの併用＞
なお、本実施例では、眼底中心部のＯＣＴデータを得るための参照光路及び検出器と、眼底周辺部でのＯＣＴデータを得るための参照光路及び検出器とを、角膜及び水晶体前面及び後面を含む前眼部のＯＣＴデータの取得に用いることによって、眼底の中心部及び周辺部のＯＣＴデータと、角膜及び水晶体前面及び後面を含む前眼部のＯＣＴデータと、を良好な信号強度にて得ることができ、眼球全体のＯＣＴデータを良好な信号強度にて得ることができる。なお、前眼部撮影モードについては、前述しており、特段の説明を省略する。
【０１９９】
なお、角膜と水晶体とでそれぞれ別の検出器を用いることで、同時検出が可能となるが、角膜と水晶体で検出器を兼用してもよく、この場合、例えば、複数の参照光路を光スイッチ等により選択的に切換える構成であってもよい。
【０２００】
なお、上記説明においては、ＳＳ−ＯＣＴを例としたが、これに限定されず、ＳＤ−ＯＣＴにおいて本実施例が適用されてもよい。この場合、複数の検出器として、複数のスペクトロメータが用いられてもよい。
【０２０１】
なお、上記説明においては、被検眼を撮影するためのＯＣＴ装置を例としたが、これに限定されず、被検物のＯＣＴデータを撮影するためのＯＣＴ装置において、本実施形態が適用されてもよい。また、被検物は、例えば、眼（前眼部、眼底等）、皮膚など生体のほか、生体以外の材料であってもよい。
【図面の簡単な説明】
【０２０２】
【図１】本実施例に係るＯＣＴ装置の一例を示す図である。
【図２】本実施例に係るＦＰＮ生成光学系の一例を示す図である。
【図３】ＦＰＮ信号を用いて複数のＯＣＴデータを合成する場合のデータの一例を示す図であり、合成前を示す図である。
【図４】ＦＰＮ信号を用いて複数のＯＣＴデータを合成する場合のデータの一例を示す図であり、合成後のイメージ図である。
【図５】ＦＰＮ信号を用いて複数のＯＣＴデータを合成する場合のデータの変容例を示す図である。
【図６】ＦＰＮ信号を用いて複数のＯＣＴデータを合成する場合のデータの変容例を示す図である。
【図７】波数マッピング補正に用いるＯＣＴデータの一例を示す図である。
【図８】ＦＰＮを処理して得られる波数マッピング情報の一例を示す図である。
【図９】第１の波数マッピング情報φ１（ｋ）と第２の波数マッピング情報φ２（ｋ）との間の差分情報Δφ（ｋ）を求める場合、マッピング状態を補正するための一例を示す図である。
【図１０】眼底撮影モードにおいて取得されるＯＣＴデータの一例を示す図である。
【図１１】眼軸長撮影モードにおいて取得されるＯＣＴデータの一例を示す図である。
【図１２】前眼部撮影モードにおいて取得されるＯＣＴデータの一例を示す図である。
【図１３】眼底撮影モードにおいてリアルタイム補正を適用する場合の一例を示す図である。
【図１４】前眼部撮影モードにおいて偏光調整を行う場合のＯＣＴデータの一例を示す図である。
【図１５】ＦＰＮの信号強度の一例を示す図である。
【図１６】広角眼底撮影モードにおいて取得されるＯＣＴデータの一例を示す図である。
【図１７】広角眼底撮影モードにおいて取得されたＯＣＴデータを合成した場合の一例を示す図である。
【図１８】広角眼底撮影モードにおいて取得されるＯＣＴデータの他の例を示す図である。
【図１９】図１８にて例示されたＯＣＴデータを合成した場合の一例を示す図である。
【図２０】複数の参照光路及び複数の検出器を用いて眼底中心部と眼底周辺部のＯＣＴデータを得た場合の一例を示す図である。
【図２１】一つの参照光路及び一つの検出器を用いて眼底中心部と眼底周辺部のＯＣＴデータを得た場合の第１の構成に係る例を示す図である。
【図２２】一つの参照光路及び一つの検出器を用いて眼底中心部と眼底周辺部のＯＣＴデータを得た場合の第２の構成に係る例を示す図である。
【符号の説明】
【０２０３】
７０  演算制御器
１００  ＯＣＴ光学系
１１０  参照光学系
１２０  検出器
２００  ＦＰＮ光学系
３００、３０２、３０４  偏光調整部
【図１】
2018171168.tif 000008
【図２】
2018171168.tif 000009
【図３】
2018171168.tif 000010
【図４】
2018171168.tif 000011
【図５】
2018171168.tif 000012
【図６】
2018171168.tif 000013
【図７】
2018171168.tif 000014
【図８】
2018171168.tif 000015
【図９】
2018171168.tif 000016
【図１０】
2018171168.tif 000017
【図１１】
2018171168.tif 000018
【図１２】
2018171168.tif 000019
【図１３】
2018171168.tif 000020
【図１４】
2018171168.tif 000021
【図１５】
2018171168.tif 000022
【図１６】
2018171168.tif 000023
【図１７】
2018171168.tif 000024
【図１８】
2018171168.tif 000025
【図１９】
2018171168.tif 000026
【図２０】
2018171168.tif 000027
【図２１】
2018171168.tif 000028
【図２２】
2018171168.tif 000029